(57)【要約】【課題】アダプタが操作手段や表示手段として十分な手段を有していないため、画像データを送信する際に、ユーザーの手間が多く必要であり、ユーザーにとって不便であった。【解決手段】アダプタ２は、デジタルカメラ１に着脱可能であって、メモリーカード２７またはＰＨＳカード２８を選択的に装着可能なカードスロット２５と、ＰＨＳカード２８がカードスロット２５に装着されたときは、デジタルカメラ１から画像データを受信して、受信した画像データをＰＨＳカード２８を介してＰＨＳ基地局８０に送信する一方、メモリーカード２７がカードスロット２５に装着されたときは、デジタルカメラ１から画像データを受信してメモリーカード２７に記憶させ、またはメモリーカード２７に記憶された画像データを読み出してデジタルカメラ１に送信するよう制御するアダプタ制御手段２０と、を有する。【選択図】図４
2005065082.tif 000002
【特許請求の範囲】
【請求項１】
被写体を撮像して画像データを生成する撮像装置に着脱可能な付属装置であって、
記憶媒体または携帯型通信装置を選択的に装着可能な携帯装置装着手段と、
前記携帯装置装着手段に前記携帯型通信装置を装着したときは、前記撮像装置から画像データを受信して、前記受信した画像データを前記携帯型通信装置を介して外部に送信する一方、前記携帯装置装着手段に前記記憶媒体を装着したときは、前記撮像装置から画像データを受信して前記記憶媒体に記憶させ、または前記記憶媒体に記憶された画像データを読み出して前記撮像装置に送信するよう制御する付属装置制御手段と、
を有する付属装置。
【請求項２】
被写体を撮像して画像データを生成する撮像手段と、
記憶媒体または携帯型通信装置を選択的に装着可能な携帯装置装着手段と、
前記携帯装置装着手段に前記携帯型通信装置を装着したときは、前記撮像手段で生成した画像データを前記携帯型通信装置を介して外部に送信する一方、前記携帯装置装着手段に前記記憶媒体を装着したときは、前記撮像手段で撮像した画像データを前記記憶媒体に記憶させるよう制御する撮像装置制御手段と、
を有する撮像装置。
【請求項３】
被写体を撮像して画像データを生成する撮像装置から前記画像データを受信して外部の送信先に送信する付属装置であって、
前記送信先のアドレスおよび前記アドレスに関連付けられた付加情報を記憶する付属装置記憶手段を有する付属装置。
【請求項４】
被写体を撮像して画像データを生成する撮像装置に着脱可能な付属装置であって、
第１の情報を記憶する付属装置記憶手段と、
第２の情報を記憶する記憶媒体を装着可能な携帯装置装着手段と、
前記携帯装置装着手段に前記記憶媒体を装着すると、前記付属装置記憶手段に記憶された第１の情報および前記記憶媒体に記憶された第２の情報をそれぞれ読み出して比較し、前記比較した結果に応じて、前記第２の情報を前記付属装置記憶手段に書き込むことにより第１の情報を更新する付属装置制御手段と、
を有する付属装置。
【請求項５】
被写体を撮像して画像データを生成する撮像装置に着脱可能な付属装置であって、
第１の情報を記憶する付属装置記憶手段と、
第２の情報を記憶する記憶媒体を装着可能な携帯装置装着手段と、
前記携帯装置装着手段に前記記憶媒体を装着すると、前記付属装置記憶手段に記憶された第１の情報および前記記憶媒体に記憶された第２の情報をそれぞれ読み出して比較し、第２の情報が第１の情報をバージョンアップした情報である場合に、前記第２の情報を前記付属装置記憶手段に書き込むことにより第１の情報を更新する付属装置制御手段と、
を有する付属装置。
【請求項６】
被写体を撮像して画像データを生成する撮像装置に着脱可能な付属装置であって、
前記画像データの送信先のアドレスおよび前記アドレスに関連付けられた第１の付加情報を記憶する付属装置記憶手段と、
第２の付加情報を記憶する記憶媒体を装着可能な携帯装置装着手段と、
前記携帯装置装着手段に前記記憶媒体を装着すると、前記記憶媒体に記憶された第２の付加情報を前記付属装置記憶手段に書き込むことにより前記第１の付加情報を更新する付属装置制御手段と、
を有する付属装置。
【請求項７】
前記第１の付加情報および前記第２の付加情報は絵記号であることを特徴とする請求項６に記載の付属装置。
【請求項８】
前記第１の付加情報および前記第２の付加情報はサムネイル画像であることを特徴とする請求項６に記載の付属装置。
【請求項９】
データを外部の送信先に送信する通信手段と、
前記送信先のアドレスおよび前記アドレスに関連付けられた第１の付加情報を記憶する通信装置記憶手段と、
第２の付加情報を記憶する記憶媒体を装着可能な携帯装置装着手段と、
前記携帯装置装着手段に前記記憶媒体を装着すると、前記記憶媒体に記憶された第２の付加情報を前記通信装置記憶手段に書き込むことにより前記第１の付加情報を更新する通信装置制御手段と、
を有する通信装置。
【請求項１０】
前記第１の付加情報および第２の付加情報は絵記号であることを特徴とする請求項９に記載の通信装置。
【請求項１１】
前記第１の付加情報および第２の付加情報はサムネイル画像であることを特徴とする請求項９に記載の通信装置。
【請求項１２】
データを外部の送信先に送信する通信手段と、
前記送信先のアドレスおよび前記アドレスに関連付けられた付加情報を記憶する通信装置記憶手段と、
表示手段と、
前記通信装置記憶手段に記憶された前記アドレスを選択する操作手段と、
前記アドレスが前記操作手段で選択されたとき、前記アドレスおよび前記アドレスに関連付けられた付加情報を前記通信装置記憶手段から読み出し前記表示手段に表示させるよう制御する通信装置制御手段と、
を有する通信装置。
【請求項１３】
被写体を撮像して画像データを生成する撮像装置と前記画像データを外部に送信する付属装置とを備える撮像システムであって、
前記撮像装置は、前記付属装置を介して前記画像データを外部に送信する通信モードを含む複数の動作モードのうちからいずれかを選択でき、
前記付属装置は、前記撮像装置が前記通信モードを選択したとき、自らの駆動電源を投入することを特徴とする撮像システム。
【請求項１４】
被写体を撮像して画像データを生成する撮像装置と前記画像データを外部に送信する付属装置とを備える撮像システムであって、
前記付属装置は、前記画像データの送信を完了したとき、自らの駆動電源を切ることを特徴とする撮像システム。
【請求項１５】
被写体を撮像して画像データを生成する撮像装置に着脱可能な付属装置であって、
無線通信の基地局との間で電磁波を交換することによりデータを送受信する付属装置通信手段と、
前記付属装置通信手段が前記基地局から受ける電磁波の強度を測定する電磁強度測定手段と、
前記電磁強度測定手段で測定した電磁波の強度に基づいて前記基地局に送信するデータの最大容量を算出する送信容量算出手段と、
を有する付属装置。
【請求項１６】
無線通信の基地局との間で電磁波を交換することによりデータを送受信する通信手段と、
前記通信手段が前記基地局から受ける電磁波の強度を測定する電磁強度測定手段と、
前記電磁強度測定手段で測定した電磁波の強度に基づいて前記基地局に送信するデータの最大容量を算出する送信容量算出手段と、
データを記憶する通信装置記憶手段と、
前記通信装置記憶手段に記憶されたデータの中から前記基地局に送信するデータを選択する操作手段と、
前記操作手段で選択されたデータの容量が前記送信容量算出手段で算出した最大容量を超えたときは、その旨を表示する表示手段と、
を有する通信装置。
【請求項１７】
データを記憶する通信装置記憶手段と、
前記通信装置記憶手段に記憶されたデータの内いずれかを選択する操作手段と、
前記操作手段で選択されたデータを外部の送信先に送信する通信手段と、
前記通信手段が前記選択されたデータを送信する前に前記操作手段で選択したデータの容量を算出し、この容量が所定の容量を超えたときは、前記データの選択を解除して、前記操作手段により再度選択できるよう制御する通信装置制御手段と、
を有する通信装置。
【請求項１８】
データを記憶する通信装置記憶手段と、
前記通信装置記憶手段に記憶されたデータの内いずれかを選択する操作手段と、
前記操作手段で選択されたデータを外部に送信する通信手段と、
表示手段と、
前記通信手段が前記選択されたデータを送信する前に、前記操作手段で選択されたデータの容量を算出し、この容量が所定の容量を超えたときは、その旨を前記表示手段に表示させるよう制御する通信装置制御手段と、
を有する通信装置。
【請求項１９】
データを記憶する通信装置記憶手段と、
前記通信装置記憶手段に表示されたデータの内いずれかを選択し、または一旦選択したデータの選択を解除する操作手段と、
前記操作手段で選択されたデータを外部に送信する通信手段と、
前記操作手段がデータの選択を解除したとき、前記操作手段で選択を解除されたデータを除いて前記通信装置記憶手段に記憶されたデータを表示する表示手段と、
を有する通信装置。
【請求項２０】
被写体を撮像して画像データを生成する撮像手段と、
前記撮像手段で生成された画像データを外部に送信する通信手段と、
前記通信手段で送信された画像データを、その画像データの送信履歴とともに記憶する撮像装置記憶手段と、
前記撮像装置記憶手段に記憶された画像データを表示するとともに、その表示上に前記送信履歴を重畳的に表示する表示手段と、
を有する撮像装置。
【請求項２１】
被写体を撮像して画像データを生成する撮像手段と、
前記撮像手段で生成された画像データを外部に送信する通信手段と、
前記通信手段で送信された画像データを、その画像データの送信履歴とともに記憶する撮像装置記憶手段と、
前記撮像装置記憶手段に記憶された送信履歴を一覧にして表示する表示手段と、
前記表示手段に表示された送信履歴の内いずれかを選択する操作手段と、
前記操作手段が送信履歴を選択したとき、その送信履歴に対応する画像データを前記撮像装置記憶手段から読み出して前記表示手段に表示させるよう制御する撮像装置記憶手段と、
を有する撮像装置。
【請求項２２】
被写体を撮像して画像データを生成する撮像手段と、
前記撮像手段で生成された画像データを外部に送信する通信手段と、
前記通信手段で送信された画像データを、その画像データの送信履歴とともに記憶する撮像装置記憶手段と、
前記撮像装置記憶手段に記憶された送信履歴を、それに対応する画像データが送信された日付毎に一覧にして表示する表示手段と、
を有する撮像装置。
【請求項２３】
被写体を撮像して画像データを生成する撮像手段と、
前記撮像手段で生成された画像データを記憶する撮像装置記憶手段と、
前記撮像装置記憶手段に記憶された画像データを外部に送信する通信手段と、
表示手段と、
前記通信手段が前記画像データの送信に失敗したとき、前記送信に失敗した画像データを前記撮像装置記憶手段から読み出して前記表示手段に表示させるよう制御する撮像装置制御手段と、
を有する撮像装置。
【請求項２４】
被写体を撮像して画像データを生成する撮像手段と、
前記撮像手段で生成された画像データを記憶する撮像装置記憶手段と、
前記撮像装置記憶手段に記憶された画像データを外部に送信する通信手段と、
第１の表示手段と、
第２の表示手段と、
前記通信手段が前記画像データを送信している間は、前記通信手段による画像データの送信に関する情報を前記第１の表示手段に表示させ、前記撮像手段で生成された画像データを前記第２の表示手段に表示させるよう制御する撮像装置制御手段と、
を有する撮像装置。
【請求項２５】
外部の送信先のアドレスおよびデータを記憶する記憶媒体を装着可能な携帯装置装着手段と、
前記記憶媒体が前記携帯装置装着手段に装着されると、前記記憶媒体に記憶されているアドレスおよびデータを読み出して、前記アドレスが示す送信先に前記読み出したデータを送信する通信手段と、
を有する通信装置。
【発明の詳細な説明】
【技術分野】
【０００１】
本発明は、画像データを外部に送信できる付属装置、撮像装置、通信装置および撮像システムに関する。
【背景技術】
【０００２】
近年、デジタルカメラで撮像した画像をネットワークを介して他人の機器（携帯電話機やサーバーに接続したパーソナルコンピュータ）に送信する手段として、デジタルカメラに着脱可能なアダプタが開発されている（例えば、特許文献１参照）。
【０００３】
このアダプタは、デジタルカメラから画像データを受信して、受信した画像データを有線または無線によりネットワークに送信する。
【特許文献１】特開２００１−３５２４７７号公報
【発明の開示】
【発明が解決しようとする課題】
【０００４】
しかしながら上記従来のアダプタでは、画像データを送信する際に、ユーザーの手間が多く必要であり、ユーザーにとって不便であった。この不便さは、主に、アダプタが操作手段や表示手段として十分な手段を有していないことに起因するものである。つまり、アダプタが十分な操作手段や表示手段を有していないので、ユーザーは、各種の設定等をしづらいのである。
【０００５】
そこで、本発明は、上記従来の問題点を解決するもので、ユーザーにとって使い勝手が良く、便利な付属装置、撮像装置、通信装置、撮像システムを提供することを目的とする。より詳細には、内部に記憶されたプログラム等のデータを容易に更新することができる付属装置等を提供することを第１の目的とする。また、画像データ等の各種データの送信に必要な送信先アドレスの設定や送信すべき画像データの選択を容易にすることができる付属装置等を提供することを第２の目的とする。また、容易に送信の進捗状況を把握できる等の、画像データ等の送信中にもユーザーにとって便利な付属装置等を提供することを第３の目的とする。また、画像データ等の各種データの送信後、送信履歴を容易に把握することができる付属装置等を提供することを第４の目的とする。
【課題を解決するための手段】
【０００６】
この目的を達成するために第１の発明に係る付属装置は、被写体を撮像して画像データを生成する撮像装置に着脱可能であって、記憶媒体または携帯型通信装置を選択的に装着可能な携帯装置装着手段と、携帯装置装着手段に携帯型通信装置を装着したときは、撮像装置から画像データを受信して、受信した画像データを携帯型通信装置を介して外部に送信する一方、携帯装置装着手段に記憶媒体を装着したときは、撮像装置から画像データを受信して記憶媒体に記憶させ、または記憶媒体に記憶された画像データを読み出して撮像装置に送信するよう制御する付属装置制御手段と、を有する。この構成により、付属装置は、通信手段を内蔵していないので、コンパクトに実現することができ、画像データの送信が必要なときには携帯型通信装置を装着することにより送信することができるので便利である。また、ユーザーが携帯装置装着手段に何が装着されているかを意識しないでも、付属装置は、携帯装置装着手段に装着されている装置に応じた機能（メモリ機能または通信機能のいずれか）を行うので、ユーザーにとって特別な操作を要さず便利である。
【０００７】
また、第２の発明に係る撮像装置は、被写体を撮像して画像データを生成する撮像手段と、記憶媒体または携帯型通信装置を選択的に装着可能な携帯装置装着手段と、携帯装置装着手段に携帯型通信装置を装着したときは、撮像手段で生成した画像データを携帯型通信装置を介して外部に送信する一方、携帯装置装着手段に記憶媒体を装着したときは、撮像手段で撮像した画像データを記憶媒体に記憶させるよう制御する撮像装置制御手段と、を有する。この構成により、撮像装置は、通信手段を内蔵していないので、コンパクトに実現することができ、画像データの送信が必要なときには携帯型通信手段を装着することにより送信することができるので便利である。また、ユーザーは、携帯装置装着手段に何が装着されているかを意識しないでも、撮像装置は、携帯装置装着手段に装着されている装置に応じた機能（メモリ機能または通信機能のいずれか）を行うので、ユーザーにとって特別な操作を要さず便利である。
【０００８】
また、第３の発明に係る付属装置は、被写体を撮像して画像データを生成する撮像装置から画像データを受信して外部の送信先に送信する付属装置であって、送信先のアドレスおよびアドレスに関連付けられた付加情報を記憶する付属装置記憶手段を有する。この構成により、ユーザーは、付加情報により、送信先を容易に把握することができる。
【０００９】
また、第４の発明に係る付属装置は、被写体を撮像して画像データを生成する撮像装置に着脱可能な付属装置であって、第１の情報を記憶する付属装置記憶手段と、第２の情報を記憶する記憶媒体を装着可能な携帯装置装着手段と、携帯装置装着手段に記憶媒体を装着すると、付属装置記憶手段に記憶された第１の情報および記憶媒体に記憶された第２の情報をそれぞれ読み出して比較し、比較した結果に応じて、第２の情報を付属装置記憶手段に書き込むことにより第１の情報を更新する付属装置制御手段と、を有する。この構成により、ユーザーは、第２の情報が記憶された記憶媒体を携帯装置装着手段に装着するだけで、付属装置記憶手段に記憶されている付属装置のソフトウェア等の第１の情報を更新することができるので、ユーザーにとって便利である。特に、付属装置は、操作手段がなく、表示手段もないため、ユーザーが付属装置内のソフトウェアを更新するのは非常に困難である。そのため、特に付属装置に上記機能があればユーザーにとって便利である。
【００１０】
また、第５の発明に係る付属装置は、被写体を撮像して画像データを生成する撮像装置に着脱可能な付属装置であって、第１の情報を記憶する付属装置記憶手段と、第２の情報を記憶する記憶媒体を装着可能な携帯装置装着手段と、携帯装置装着手段に記憶媒体を装着すると、付属装置記憶手段に記憶された第１の情報および記憶媒体に記憶された第２の情報をそれぞれ読み出して比較し、第２の情報が第１の情報をバージョンアップした情報である場合に、第２の情報を付属装置記憶手段に書き込むことにより第１の情報を更新する付属装置制御手段と、を有する。この構成により、付属装置制御手段は、第２の情報が第１の情報をバージョンアップしたものに当たるかどうかについても判断した上で更新動作を行うため、更新する必要の無い時まで更新動作を行うという不具合を防止できる。
【００１１】
また、第６の発明に係る付属装置は、被写体を撮像して画像データを生成する撮像装置に着脱可能な付属装置であって、画像データの送信先のアドレスおよびアドレスに関連付けられた第１の付加情報を記憶する付属装置記憶手段と、第２の付加情報を記憶する記憶媒体を装着可能な携帯装置装着手段と、携帯装置装着手段に記憶媒体を装着すると、記憶媒体に記憶された第２の付加情報を付属装置記憶手段に書き込むことにより第１の付加情報を更新する付属装置制御手段と、を有する。この構成により、ユーザーは、第２の付加情報が記憶された記憶媒体を携帯装置装着手段に挿し込むだけで、付属装置記憶手段内に記憶されている第１の付加情報を更新することができるので、ユーザーにとって便利である。
【００１２】
また、第７の発明に係る付属装置は、第６の発明に係る付属装置であって、第１の付加情報および第２の付加情報は絵記号であることを特徴とする。この構成により、ユーザーは、絵記号である第１の付加情報を容易に更新できる。また、ユーザーは、第１の付加情報が絵記号であるため、送信先のアドレスの内容を容易に把握できる。
【００１３】
また、第８の発明に係る付属装置は、第６の発明に係る付属装置であって、第１の付加情報および第２の付加情報はサムネイル画像であることを特徴とする。この構成により、ユーザーは、サムネイル画像である第１の付加情報を容易に更新できる。また、ユーザーは、第１の付加情報がサムネイル画像であるため、送信先のアドレスの内容を容易に把握できる。
【００１４】
また、第９の発明に係る通信装置は、データを外部の送信先に送信する通信手段と、送信先のアドレスおよびアドレスに関連付けられた第１の付加情報を記憶する通信装置記憶手段と、第２の付加情報を記憶する記憶媒体を装着可能な携帯装置装着手段と、携帯装置装着手段に記憶媒体を装着すると、記憶媒体に記憶された第２の付加情報を通信装置記憶手段に書き込むことにより第１の付加情報を更新する通信装置制御手段と、を有する。この構成により、ユーザーは、第２の付加情報が記憶された記憶媒体を携帯装置装着手段に挿し込むだけで、通信装置記憶手段内に記憶されている第１の付加情報を更新することができるので、ユーザーにとって便利である。
【００１５】
また、第１０の発明に係る通信装置は、第９の発明に係る通信装置であって、第１の付加情報および第２の付加情報は絵記号であることを特徴とする。この構成により、ユーザーは、絵記号である第１の付加情報を容易に更新できる。また、ユーザーは、第１の付加情報が絵記号であるため、送信先のアドレスの内容を容易に把握できる。
【００１６】
また、第１１の発明に係る通信装置は、第９の発明に係る通信装置であって、第１の付加情報および第２の付加情報はサムネイル画像であることを特徴とする。この構成により、ユーザーは、サムネイル画像である第１の付加情報を容易に更新できる。また、ユーザーは、第１の付加情報がサムネイル画像であるため、送信先のアドレスの内容を容易に把握できる。
【００１７】
また、第１２の発明に係る通信装置は、データを外部の送信先に送信する通信手段と、送信先のアドレスおよびアドレスに関連付けられた付加情報を記憶する通信装置記憶手段と、表示手段と、通信装置記憶手段に記憶されたアドレスを選択する操作手段と、アドレスが操作手段で選択されたとき、アドレスおよびアドレスに関連付けられた付加情報を通信装置記憶手段から読み出し表示手段に表示させるよう制御する通信装置制御手段と、を有する。この構成により、通信手段は、送信先のアドレスおよび付加情報を通信装置記憶手段から読み出して、表示手段に表示させることができるので、ユーザーは、送信先を容易に把握することができる。
【００１８】
また、第１３の発明に係る撮像システムは、被写体を撮像して画像データを生成する撮像装置と画像データを外部に送信する付属装置とを備える撮像システムであって、撮像装置は、付属装置を介して画像データを外部に送信する通信モードを含む複数の動作モードのうちからいずれかを選択でき、付属装置は、撮像装置が通信モードを選択したとき、自らの駆動電源を投入することを特徴とする。付属装置は、自らの機能（通信機能）が必要なときに自らの駆動電源を投入するので、ユーザーは意識的に付属装置の駆動電源を投入する必要がなく、手間が省けるため便利である。また、付属装置は、自らの機能が必要なときにだけ自らの駆動電源を投入するので、付属装置で消費する電力を節約することができる。
【００１９】
また、第１４の発明に係る撮像システムは、被写体を撮像して画像データを生成する撮像装置と画像データを外部に送信する付属装置とを備える撮像システムであって、付属装置は、画像データの送信を完了したとき、自らの駆動電源を切ることを特徴とする。付属装置は、自らの機能が不要になると自らの駆動電源を切るので、ユーザーは意識的に付属装置の駆動電源を切る必要がなく、手間が省けるため便利である。また、付属装置は、自らの機能が不要になると自らの駆動電源を切るので、付属装置で消費する電力を節約することができる。
【００２０】
また、第１５の発明に係る付属装置は、被写体を撮像して画像データを生成する撮像装置に着脱可能な付属装置であって、無線通信の基地局との間で電磁波を交換することによりデータを送受信する付属装置通信手段と、付属装置通信手段が基地局から受ける電磁波の強度を測定する電磁強度測定手段と、電磁強度測定手段で測定した電磁波の強度に基づいて基地局に送信するデータの最大容量を算出する送信容量算出手段と、を有する。この構成により、ユーザーは、付属装置を用いて無線通信の基地局に画像データ等のデータを一定時間内に送信できる容量を容易に把握できるので、予想外に送信時間を要する等の不具合の発生を防ぐことが出来る。
【００２１】
また、第１６の発明に係る通信装置は、無線通信の基地局との間で電磁波を交換することによりデータを送受信する通信手段と、通信手段が基地局から受ける電磁波の強度を測定する電磁強度測定手段と、電磁強度測定手段で測定した電磁波の強度に基づいて基地局に送信するデータの最大容量を算出する送信容量算出手段と、データを記憶する通信装置記憶手段と、通信装置記憶手段に記憶されたデータの中から基地局に送信するデータを選択する操作手段と、操作手段で選択されたデータの容量が送信容量算出手段で算出した最大容量を超えたときは、その旨を表示する表示手段と、を有する。この構成により、ユーザーは、最大容量を超える容量の画像データを送信すべき画像データとして選択した場合であっても、選択済みの画像データの容量が最大容量を超えたことを容易に把握することができる。
【００２２】
また、第１７の発明に係る通信装置は、データを記憶する通信装置記憶手段と、通信装置記憶手段に記憶されたデータの内いずれかを選択する操作手段と、操作手段で選択されたデータを外部の送信先に送信する通信手段と、通信手段が選択されたデータを送信する前に操作手段で選択したデータの容量を算出し、この容量が所定の容量を超えたときは、データの選択を解除して、操作手段により再度選択できるよう制御する通信装置制御手段と、を有する。この構成により、通信装置は、選択した画像データの容量が所定の容量を超えたときには、自動的に画像データを再選択できる動作モードに入るので、ユーザーによって便利である。
【００２３】
また、第１８の発明に係る通信装置は、データを記憶する通信装置記憶手段と、通信装置記憶手段に記憶されたデータの内いずれかを選択する操作手段と、操作手段で選択されたデータを外部に送信する通信手段と、表示手段と、通信手段が選択されたデータを送信する前に、操作手段で選択されたデータの容量を算出し、この容量が所定の容量を超えたときは、その旨を表示手段に表示させるよう制御する通信装置制御手段と、を有する。この構成により、通信装置は、選択した画像データの容量が所定の容量を超えたときには、自動的にその旨をユーザーに通知するので、ユーザーにとって便利である。また、所定の容量を超えた画像データをユーザーが意識せずに送信するということを防止できる。
【００２４】
また、第１９の発明に係る通信装置は、データを記憶する通信装置記憶手段と、通信装置記憶手段に表示されたデータの内いずれかを選択し、または一旦選択したデータの選択を解除する操作手段と、操作手段で選択されたデータを外部に送信する通信手段と、操作手段がデータの選択を解除したとき、操作手段で選択を解除されたデータを除いて通信装置記憶手段に記憶されたデータを表示する表示手段と、を有する。この構成により、選択解除された画像データを表示手段に表示せず、まだ選択されていない画像データのみを表示する。つまり、ユーザーが次に選択可能性のある画像データ（まだ選択されていない画像データ）のみを表示手段に表示するため、表示される画像データの数が減ることにより、ユーザーは画像データを選択しやすくなる。そのため、ユーザーにとって便利である。
【００２５】
また、第２０の発明に係る撮像装置は、被写体を撮像して画像データを生成する撮像手段と、撮像手段で生成された画像データを外部に送信する通信手段と、通信手段で送信された画像データを、その画像データの送信履歴とともに記憶する撮像装置記憶手段と、撮像装置記憶手段に記憶された画像データを表示するとともに、その表示上に送信履歴を重畳的に表示する表示手段と、を有する。この構成により、送信済みの再生画像と送信履歴が重畳的に表示手段に表示されるため、ユーザーは、再生された画像がどこに、いつ送信されたかを容易に把握できる。そのため、ユーザーにとって便利である。
【００２６】
また、第２１の発明に係る撮像装置は、被写体を撮像して画像データを生成する撮像手段と、撮像手段で生成された画像データを外部に送信する通信手段と、通信手段で送信された画像データを、その画像データの送信履歴とともに記憶する撮像装置記憶手段と、撮像装置記憶手段に記憶された送信履歴を一覧にして表示する表示手段と、表示手段に表示された送信履歴の内いずれかを選択する操作手段と、操作手段が送信履歴を選択したとき、その送信履歴に対応する画像データを撮像装置記憶手段から読み出して表示手段に表示させるよう制御する撮像装置記憶手段と、を有する。この構成により、送信履歴一覧から所望の送信履歴を選択することにより、この送信履歴に対応する画像データの再生画像が表示手段に表示されるので、ユーザーはどこに、いつ送信した画像がどのような画像データであるかを直ぐに確認することができる。そのため、ユーザーにとって便利である。
【００２７】
また、第２２の発明に係る撮像装置は、被写体を撮像して画像データを生成する撮像手段と、撮像手段で生成された画像データを外部に送信する通信手段と、通信手段で送信された画像データを、その画像データの送信履歴とともに記憶する撮像装置記憶手段と、撮像装置記憶手段に記憶された送信履歴を、それに対応する画像データが送信された日付毎に一覧にして表示する表示手段と、を有する。この構成により、送信履歴は日付毎に表示されるため、ユーザーは直ぐに特定の日付の送信履歴を把握することができる。そのため、ユーザーにとって便利である。
【００２８】
また、第２３の発明に係る撮像装置は、被写体を撮像して画像データを生成する撮像手段と、撮像手段で生成された画像データを記憶する撮像装置記憶手段と、撮像装置記憶手段に記憶された画像データを外部に送信する通信手段と、表示手段と、通信手段が画像データの送信に失敗したとき、送信に失敗した画像データを撮像装置記憶手段から読み出して表示手段に表示させるよう制御する撮像装置制御手段と、を有する。この構成により、ユーザーは送信に失敗した画像データを直ぐに確認できる。
【００２９】
また、第２４の発明に係る撮像装置は、被写体を撮像して画像データを生成する撮像手段と、撮像手段で生成された画像データを記憶する撮像装置記憶手段と、撮像装置記憶手段に記憶された画像データを外部に送信する通信手段と、第１の表示手段と、第２の表示手段と、通信手段が画像データを送信している間は、通信手段による画像データの送信に関する情報を第１の表示手段に表示させ、撮像手段で生成された画像データを第２の表示手段に表示させるよう制御する撮像装置制御手段と、を有する。この構成により、ユーザーは、画像データを送信中であっても、画像データの送信の進捗状況だけでなく、新たな画像を撮像することもできるので、画像データの送信中にシャッターチャンスを逃すことがなく、便利である。
【００３０】
また、第２５の発明に係る通信装置は、外部の送信先のアドレスおよびデータを記憶する記憶媒体を装着可能な携帯装置装着手段と、記憶媒体が携帯装置装着手段に装着されると、記憶媒体に記憶されているアドレスおよびデータを読み出して、アドレスが示す送信先に読み出したデータを送信する通信手段と、を有する。この構成により、記憶媒体を携帯装置装着手段に装着しただけで記憶媒体に予め記憶されている送信先のアドレスにデータを送信できるため、ユーザーにとって便利である。
【発明の効果】
【００３１】
以上のように本発明は、ユーザーにとって使い勝手が良く、便利な付属装置、撮像装置、通信装置、撮像システムを提供することができる。より詳細には、内部に記憶されたプログラム等のデータを容易に更新することができる付属装置等を提供することができる。また、画像データ等の各種データの送信に必要な送信先アドレスの設定や送信すべき画像データの選択を容易にすることができる付属装置等を提供することができる。また、容易に送信の進捗状況を把握できる等の、画像データ等の送信中にもユーザーにとって便利な付属装置等を提供することができる。また、画像データ等の各種データの送信後、送信履歴を容易に把握することができる付属装置等を提供することができる。
【発明を実施するための最良の形態】
【００３２】
以下、本発明を実施するための最良の形態について、図１〜４３を用いて説明する。
【００３３】
（実施の形態１）
図１は本発明の実施の形態１におけるアダプタ２がＰＨＳ基地局８０と通信するときの関係を示すブロック図である。アダプタ２は、デジタルカメラ１と接続している。そして、アダプタ２は、デジタルカメラ１から画像データを取得して、取得した画像データをＰＨＳ基地局８０を介してＷＥＢサーバ８２に送信する。アダプタ２は、ＰＨＳ基地局８０に対して電磁波により画像データを送信する。ＰＨＳ基地局８０は、アダプタ２から受けた画像データをインターネット８１を介してＷＥＢサーバ８２に送信する。ＷＥＢサーバ８２には、アダプタ２から受けた画像データを内部の記録媒体に記憶する。
【００３４】
図２は本発明の実施の形態１におけるデジタルカメラ１とアダプタ２を接続した状態の斜視図である。アダプタ２は、デジタルカメラ１の底面でねじにより機械的に接続されている。アダプタ２の側面にはカードスロット２５が設けられている。カードスロット２５は、ＰＨＳカード２８を装着可能である。ＰＨＳカード２８は、外部のＰＨＳ基地局８０とＰＨＳ方式により通信する携帯通信装置である。また、カードスロット２５は、後述するメモリーカード２７も装着可能である。他にも、カードスロット２５は、ブルートゥースカードやＩ／Ｏカード等も装着可能である。
【００３５】
図３は本発明の実施の形態１におけるデジタルカメラ１とアダプタ２を接続した状態の背面図である。ファインダ３は、後述する撮像手段７で生成された画像データを表示する表示手段である。液晶モニタ４も後述する撮像手段７で生成された画像データを表示する表示手段であるが、液晶モニタ４は、大画面であるためデジタルカメラ１の設定等を表示する際にも用いられる。電源スイッチ５ａは、デジタルカメラ１の電源のＯＮ／ＯＦＦを切り換える。電源スイッチ５ａを矢印Ａ側に切り換えるとデジタルカメラ１の電源がＯＮ状態になり、矢印Ｂ側に切り換えるとＯＦＦ状態になる。シャッター釦５ｂは、デジタルカメラ１における画像データの記録の開始を指示するための操作手段である。決定釦５ｃを押下すると、条件等を決定できる。カーソルキー５ｄを操作することにより、液晶モニタ４やファインダ３に表示されるカーソルを移動することができる。メニュー釦５ｅを押下すると、液晶モニタ４やファインダ３に各種の設定メニューを表示できる。操作手段５は、デジタルカメラ１またはアダプタ２についてユーザーが操作するための手段であり、電源スイッチ５ａ、シャッター釦５ｂ、決定釦５ｃ、カーソルキー５ｄ、メニュー釦５ｅ等から構成される。
【００３６】
図４は本発明の実施の形態１におけるデジタルカメラ１とアダプタ２を接続した状態の構成を示すブロック図である。システム制御手段６は回路やソフトウェアを含むマイコン等から構成される。システム制御手段６は、撮像手段７、画像処理手段８、画像メモリ１１、カードスロット１２、システム制御用メモリ１３等のデジタルカメラ１全体を制御する制御手段である。撮像手段７は、被写体を撮像して画像データを生成する。撮像手段７は、ＣＣＤ（図示せず）等の撮像素子やＡ／Ｄ変換回路（図示せず）等の回路等から構成される。画像処理手段８は、撮像手段７で生成された画像データをＹＣ変換や圧縮変換、解像度変換等の画像処理をする。画像処理手段８は、画像処理回路やソフトウェアを含むマイコン等から構成される。画像処理手段８は、画像メモリ１１やカードスロット１２に装着されたメモリーカード２７に記憶された画像データについて伸長変換等の画像処理を行う。ファインダ制御手段９は、画像処理手段８から出力される画像データをファインダ３で表示できるように処理する手段である。液晶モニタ制御手段１０は、画像処理手段８から出力される画像データを液晶モニタ４で表示できるように処理する手段である。このように、ファインダ３と液晶モニタ４は、それぞれ別個の制御手段を有するため、相互に異なる内容の画像を表示することができる。
【００３７】
画像メモリ１１は、システムバス１７を介して、システム制御手段６、画像処理手段８、カードスロット１２に装着されたメモリーカード２７、システム制御用メモリ１３等と画像データをやり取りする。画像メモリ１１は、ＤＲＡＭ、ＳＲＡＭ等の半導体メモリ等から構成される。カードスロット１２は、メモリカード２７等を装着可能な装着手段である。カードスロット１２にメモリーカード２７を装着することにより、システム制御手段６や画像処理手段８は、メモリーカード２７から画像データを読み出し、またはメモリーカード２７に画像データを書き込むことができる。システム制御用メモリ１３はＤＲＡＭ、ＳＲＡＭ、フラッシュメモリ、ＦｅＲＡＭ等の半導体メモリから構成される。システム制御用メモリ１３は、フラッシュメモリやＦｅＲＡＭ等の不揮発性メモリであることが好ましい。デジタルカメラ１の電源をＯＦＦにした場合でも、入力された設定条件等を記憶しているからである。電池収納手段１４は、電池（図示せず）を収納するための手段であり、電池（図示せず）から供給される電力をデジタルカメラ１全体に供給する。電池（図示せず）は、充電式の電池であっても良いし、乾電池であっても良い。電源端子１５は、電池から供給される電源をアダプタ２に供給するための端子である。信号端子１６は、アダプタ２との間で制御信号や画像データを送受信するための端子である。
【００３８】
アダプタ制御手段２０は、信号端子２３を介してシステム制御手段６との間で制御信号や画像データをやり取りする。アダプタ制御手段２０は、ＵＳＢユニット２４、カードスロット２５、アダプタ制御用メモリ２６等のアダプタ２全体を制御する。電源端子２１は、電源端子１５と接続し、電池収納手段１４に収納された電池（図示せず）から供給される電力を受け、アダプタ２全体に供給する。選択手段２２は、アダプタ２の電源をＯＮ／ＯＦＦ切り換えする。選択手段２２のＯＮ／ＯＦＦの切り換えはシステム制御手段６の制御により行われる。信号端子２３は信号端子１６と接続する。ＵＳＢユニット２４はＵＳＢプラグ（図示せず）やＵＳＢ制御用マイコン等から構成される。ＵＳＢユニット２４にＵＳＢケーブル（図示せず）を接続することにより、アダプタ２は、プリンタ、パーソナルコンピュータ等の外部機器とデータ交換が可能になる。カードスロット２５は、前述したように、少なくともメモリーカード２７、ＰＨＳカード２８を選択的に装着可能な装着手段である。ＰＨＳカード２８をカードスロット２５に装着したときは、デジタルカメラ１から受信される画像データ等のデータをＰＨＳカード２８を介してＰＨＳ基地局８０に送信することができる。一方、メモリーカード２７をカードスロット２５に装着したときは、メモリカード２７に記憶されたデータを読み出し、またはメモリーカード２７にデータを書き込むことができる。アダプタ制御用メモリ２６は、ＤＲＡＭ、ＳＲＡＭ、フラッシュメモリ、ＦｅＲＡＭ等の半導体メモリから構成される。アダプタ制御用メモリ２６は、フラッシュメモリやＦｅＲＡＭ等の不揮発性メモリであることが好ましい。アダプタ２の駆動電源が切れた場合でも、アダプタ制御用メモリ２６が不揮発性メモリであれば、記憶されているデータを保持しておくことができるからである。アダプタ制御用メモリ２６は、アダプタ制御手段２０が制御するために用いるプログラムやＰＨＳカード２８を介して取得した画像データ等の各種のデータを記憶する。
【００３９】
なお、デジタルカメラ１は本発明の撮像装置の一例である。アダプタ２は本発明の付属装置の一例である。メモリーカード２７は本発明の記憶媒体の一例である。ＰＨＳカード２８は本発明の携帯型通信装置の一例である。カードスロット２５は本発明の携帯装置装着手段の一例である。アダプタ制御手段２０は本発明の付属装置制御手段の一例である。アダプタ制御用メモリ２６は付属装置記憶手段の一例である。デジタルカメラ１およびアダプタ２からなる構成は本発明の撮像システムの一例である。ＰＨＳ基地局８０は本発明の無線通信の基地局の一例である。ＰＨＳカード２８は本発明の付属装置通信手段の一例である。ＰＨＳカード２８は本発明の電磁波強度測定手段の一例である。アダプタ制御手段２０は本発明の送信容量算出手段の一例である。
【００４０】
（動作の説明）
以上のように構成されたデジタルカメラ１およびアダプタ２は、大きく分類して、図５に示すように４つの動作を行う。まず、アダプタ２の設定を行い（Ｓ１０１）、画像データ送信の準備を行い（Ｓ１０２）、画像データの送信を行い（Ｓ１０３）、画像データ送信の履歴を表示する（Ｓ１０４）。以下、各動作の詳細を説明する。
【００４１】
（１）アダプタ２の設定
アダプタ２の設定動作（Ｓ１０１）について、図６〜１１を用いて説明する。なお、説明の際には、必要に応じて図３および図４を逐次参照する。図６は、アダプタ２の設定動作（Ｓ１０１）を詳細に説明するためのフローチャートである。図７は、モード選択時の液晶モニタ４の表示画面を示す図である。図８は、設定更新前のアダプタ設定モード時の液晶モニタ４の表示画面とメモリーカード２７に記憶されたデータの内容を示す模式図である。図９は、アダプタ設定モード時の液晶モニタ４の表示画面を示す模式図である。図１０は、設定更新後のアダプタ設定モード時の液晶モニタ４の表示画面を示す模式図である。図１１は、サムネイル画像更新前のアダプタ制御用メモリ２６に記憶されたデータの内容とメモリーカード２７に記憶されたデータの内容を示す模式図である。図１２は、サムネイル画像更新時の液晶モニタ４の表示画面を示す模式図である。
【００４２】
まず、デジタルカメラ１とアダプタ２を接続した状態で、メニュー釦５ｅ等を操作することにより、システム制御手段６の制御によって、液晶モニタ４は図７に示す画面を表示する。図７において、ユーザーは、カーソルキー５ｄを操作することにより選択表示の移動をさせることが可能である。そして、ユーザーは、決定釦５ｃを操作することにより動作モードを選択できる。
【００４３】
なお、デジタルカメラ１とアダプタ２が接続していない状態で、ユーザーがメニュー釦５ｅ等を操作した場合には、アダプタ２が負担する機能に関する動作モードである「設定モード」および「通信モード」は液晶モニタ４に表示されない。これにより、ユーザーは、デジタルカメラ１を操作することにより、行うことができる機能を容易に把握することができる。
【００４４】
図７において、ユーザーが「設定モード」を選択すると（Ｓ１）、システム制御手段６は、信号端子１６を介して、選択手段２２に対して電源をＯＮ状態にするよう指示する制御信号を発信する。選択手段２２は、システム制御手段６の制御信号を受けて電源をＯＮ状態に切り換える（Ｓ２）。すると、アダプタ２は電池収納手段１４内の電池（図示せず）からの電源の供給を受けて動作状態となる。アダプタ制御手段２０は、システム制御手段６に対してアダプタ２が動作状態になったことを通知する。すると、システム制御手段６は、アダプタ制御手段２０に対して、アダプタ２の設定状態を通知するよう指示する。この指示を受けて、アダプタ制御手段２０は、アダプタ制御用メモリ２６に記憶されている設定内容を読み出してシステム制御手段６に送信する（Ｓ３）。システム制御手段６は、これを受けて、液晶モニタ４に図８（ａ）に示す画面を表示する（Ｓ４）。ユーザーがメモリーカード２７をカードスロット２４に装着するまでこの状態で待機する（Ｓ５）。
【００４５】
図８（ａ）において、ソフトウェア愛称Ｄ１は、アダプタ制御用メモリ２６に記憶されているソフトウェアの名称であり、ユーザーが認識できるように愛称として記憶されている。バージョン情報Ｄ２は、各ソフトウェアのバージョン情報に関する表示である。記憶アドレス数Ｄ３はアダプタ制御用メモリ２６に記憶されている送信先一覧内の送信先のアドレスの数に関する表示である。図８において、記憶アドレス数Ｄ３は、送信先一覧が８箇所の送信先のアドレスを内包していることを示している。記録日Ｄ４は、送信先一覧がアダプタ制御用メモリ２６に記憶された日付である。図８において、記録日Ｄ４「２００３．５．３」は、最新の送信先一覧が２００３年５月３日にアダプタ制御用メモリ２６に記憶されたことを示している。また、基本ソフトウェアとは、アダプタ２を動作させるために最低限必要なソフトウェアでありＯＳ（Ｏｐｅｒａｔｉｎｇ  Ｓｙｓｔｅｍ）等から構成される。アプリソフトウェアＡ、Ｂは、ユーザーが直接利用するソフトウェアであり、基本ソフトウェアを通して動作する。条件テーブル１、２は、アダプタ制御手段２０が判断等をする際に参照するための参照テーブルである。
【００４６】
次に、ユーザーがカードスロット２５にメモリーカード２７を装着すると（Ｓ５）、アダプタ制御手段２０は、メモリーカード２７にアクセスを開始する。
【００４７】
ここで、本発明の実施の形態１において、メモリーカード２７は、図８（ｂ）に示すデータが記憶されているものとする。すなわち、メモリーカード２７には、「アプリソフトウェアＡ」のバージョン「Ｖｅｒ．２０２」が記憶されており、この「アプリソフトウェアＡ」には正式な名称として「ｔｒａｎｓ．ａｐａ」が付されている。さらに、メモリーカード２７には、送信先一覧データＤ６として「０３０６１９．ａｄｒ」が記憶されている。
【００４８】
なお、アダプタ制御用メモリ２６に記憶されているアプリソフトウェアＡ  Ｖｅｒ．２０１、２００３年５月３日の送信先一覧は、それぞれ本発明の第１の情報の一例である。メモリーカード２７に記憶されているアプリソフトウェアＡ  Ｖｅｒ．２０２、送信先一覧「０３０６１９．ａｄｒ」は、それぞれ本発明の第２の情報の一例である。
【００４９】
アダプタ制御手段２０は、メモリーカード２７のアクセスを開始し、記憶された内容を解析することによって、メモリーカード２７に「ｔｒａｎｓ．ａｐａ」と「０３０６１９．ａｄｒ」が記憶されていることを検知し、それぞれのデータの拡張子「ａｐａ」「ａｄｒ」を識別することにより（Ｓ６）、これらのデータがアダプタ２の設定に必要なデータであることを認識する（Ｓ６のＹｅｓ）。次に、アプリソフトウェアＡについては、バージョン情報Ｄ２が付随しているので、それ（Ｖｅｒ．２０２）を読み出し、アダプタ制御用メモリ２６に記憶されたバージョン情報（Ｖｅｒ．２０１）と比較する（Ｓ７）。すると、メモリーカード２７内に記憶されたアプリソフトウェアＡは、アダプタ制御用メモリ２６をバージョンアップしたものであることを識別できる（Ｓ７のＹｅｓ）。そこで、ステップＳ８に移行する。
【００５０】
一方、ステップＳ６においてメモリーカード２７にアダプタ２の設定に必要な情報が無い場合、または、ステップＳ７においてバージョンアップされたソフトウェアがメモリーカード２７に記憶されていない場合、アダプタ制御手段２０は、設定モードを終了して、その旨をシステム制御手段６に通知する。そして、システム制御手段６は、選択手段２２に指示してアダプタ２の電源をＯＦＦ状態に切り換える（Ｓ１０）。最後に、システム制御手段６は、液晶モニタ４に図７に示す画面を表示させて、ユーザーによるモード選択を促す。
【００５１】
ステップＳ８において、システム制御手段６は、液晶モニタ４に図９に示す画面を表示させる。この画面において、ユーザーは、カーソルキー５ｄや決定釦５ｃを操作して、ソフトウェアのバージョンアップ等の更新をするかしないかを決定する。ユーザーが更新をする旨をマニュアル入力すると、システム制御手段６は操作手段５からその旨の制御信号を受け、アダプタ制御手段２０にその旨を指示する。アダプタ制御手段２０は、この指示を受けて、カードスロット２５に装着されたメモリーカード２７から「アプリソフトウェアＡ  Ｖｅｒ．２０２」と送信先一覧「０３０６１９．ａｄｒ」を読み出して、アダプタ制御用メモリ２６に書き込む。その際、アダプタ制御手段２０は、書き込み前の「アプリソフトウェアＡ  Ｖｅｒ．２０１」と送信先一覧とをアダプタ制御用メモリ２６から削除させる。以上の動作により、アダプタ制御手段２０は、アダプタ制御用メモリ２６内に記憶されているアプリソフトウェアＡと送信先一覧を更新することができる（Ｓ９）。アダプタ制御用メモリ２６における更新が終了すると、アダプタ制御手段２０は、システム制御手段６にその旨を通知する。システム制御手段６は、その通知を受けて、液晶モニタ４に図１０に示す画面を表示させる。この図１０の画面表示において、アプリソフトウェアＡのバージョン情報Ｄ２は、「Ｖｅｒ．２０２」に更新され、送信先一覧の記憶アドレス数Ｄ３や記憶日Ｄ４も更新される。これにより、ユーザーは、アダプタ制御用メモリ２６内のデータが更新されたことを確認できる。
【００５２】
次に、システム制御手段６は選択手段２２に対して電源をＯＦＦに切り換えるよう指示し、選択手段２２はその指示に従って電源をＯＦＦに切り換える（Ｓ１０）。そして、システム制御手段６は液晶モニタ４に図７に示すモード選択画面を表示させて（Ｓ１１）、アダプタ２の設定動作（Ｓ１０１）を終了する。
【００５３】
上記の例では、送信先一覧全てを更新する場合を説明したが、送信先一覧の一部を更新することもできる。図１１（ａ）はアダプタ制御用メモリ２６内に記憶されたデータを示す模式図である。アダプタ制御用メモリ２６は、送信先アドレスＤ８として「ｙｏｎｅ＠ｍｅｉ．ｃｏｍ」を記憶している。また、そのアドレスと関連付けた状態でサムネイル画像Ｄ７を記憶している。そして、メモリーカード２７は、図１０（ｂ）に示すとおり「ｙｏｎｅ．ｔｈｍ」というファイル名で新たなサムネイル画像Ｄ７を記憶している。この状態において、ユーザーが、ステップＳ１で「設定モード」を選択し（図７参照）、メモリーカード２７をカードスロット２５に装着すると（図８参照）、アダプタ制御手段２０はメモリーカード２７内に有効なデータがあることを認識する（Ｓ６のＹｅｓ）。そして、ファイル名Ｄ９「ｙｏｎｅ．ｔｈｍ」をメモリーカード２７から読み出し、アダプタ制御用メモリ２６に記憶されている送信先一覧と比較することにより（Ｓ７）、メモリーカード２７に記憶されているサムネイル画像Ｄ７がアドレス「ｙｏｎｅ＠ｍｅｉ．ｃｏｍ」に対応するサムネイル画像であると判定する（Ｓ７のＹｅｓ）。すなわち、サムネイル画像のファイル名「ｙｏｎｅ」とアドレス名「ｙｏｎｅ」が識別子として作用するのである。次に、アダプタ制御手段２０は、メモリーカード２７からサムネイル画像Ｄ７を読み出し、アダプタ制御用メモリ２６から送信先アドレスＤ８とサムネイル画像Ｄ７を読み出し、それらをシステム制御手段６に送信する。システム制御手段６は、これを受けて液晶モニタ４に図１２に示す画面を表示させ、ユーザーの選択を促す（Ｓ８）。図１２においてユーザーが更新を選択すると、システム制御手段６はこれをアダプタ制御手段２０に指示する。この指示を受けたアダプタ制御手段２０は、メモリーカード２７からサムネイル画像Ｄ７を読み出してアダプタ制御用メモリ２６に書き込む。その際、書き込み前に記憶されていた元のサムネイル画像Ｄ７（眼鏡をかけた人物像）を削除する。以上の動作により、送信先アドレスＤ８に関連付けられたサムネイル画像Ｄ７等の付加情報を簡単な操作で更新することができる。
【００５４】
なお、アダプタ制御用メモリ２６に記憶されているサムネイル画像Ｄ７およびメモリーカード２７に記憶されているサムネイル画像Ｄ７はそれぞれ本発明の付加情報の一例である。また、アダプタ制御用メモリ２６に記憶されているサムネイル画像Ｄ７は本発明の第１の付加情報の一例でもある。メモリーカード２７に記憶されているサムネイル画像Ｄ７は本発明の第２の付加情報でもある。
【００５５】
（２）画像データ送信の準備
以下、画像データ送信の準備（Ｓ１０２）の動作について、図１３〜図２０を用いて説明する。なお、以下の説明の際、必要に応じて図３および図４を逐次参照する。図１３は、画像データ送信の準備（Ｓ１０２）の動作を詳細に説明するためのフローチャートである。図１４は、ＰＨＳ基地局８０から受ける電磁波の強度を確認するために液晶モニタ４上に表示される画面を示す模式図である。図１５は、送信先アドレスＤ８を選択するために液晶モニタ４上に表示される画面を示す模式図である。図１６は、送信画像データを選択するために液晶モニタ４上に表示される画面を示す模式図である。図１７は、選択した送信画像データの容量が最大送信容量を超えたときの液晶モニタ４上に表示される画面を示す模式図である。図１８は、送信を取り消す画像データを選択するために液晶モニタ４上に表示される画面を示す模式図である。図１９は、送信画像を再選択するために液晶モニタ４上に表示される画面を示す模式図である。図２０は、画像データを送信するために液晶モニタ４上に表示される画面を示す模式図である。
【００５６】
まず、ユーザーの操作により、システム制御手段６は、液晶モニタ４に図７に示す画面を表示させ、ユーザーにモードの選択を促す。そして、ユーザーが「通信モード」を選択すると（Ｓ２１）、システム制御手段６は選択手段２２に指示して電源を投入させる（Ｓ２２）。次に、アダプタ制御手段２０は、カードスロット２５に装着されるＰＨＳカード２８を介してＰＨＳ基地局８０とアクセスを開始する（Ｓ２３）。ここで、ＰＨＳカード２８がカードスロット２５に装着されている場合は、アクセス開始動作が続行されるが、装着されていない場合は、アダプタ制御手段２０がその旨を検知し、システム制御手段６に通知する。通知を受けたシステム制御手段６は、液晶モニタ４にＰＨＳカード２８がカードスロット２５に装着されていない旨を表示させる。例えば、「ＰＨＳカードが装着されていないため、通信できません。ＰＨＳカードを装着して下さい。」と表示し、ユーザーに通信不能であることを知らせ、ＰＨＳカード２８の装着を促す。
【００５７】
ステップＳ２３において、ＰＨＳカード２８は、ＰＨＳ基地局８０とのアクセスを開始し、プロトコルを交換したり、基地局のＩＤ等を取得したりする。そして、ＰＨＳカード２８は、ＰＨＳ基地局８０から受ける電磁波の強度を測定する。そして、アダプタ制御手段２０は、この電磁波の強度に基づいて１回当たり基地局に送信できるデータの最大送信容量を算出する。
【００５８】
ここで、アダプタ制御手段２０が上記最大送信容量を算出する理由を説明する。アダプタ２からＰＨＳ基地局８０には画像データ等のデータをパケット通信方式により送信する。そのため、個々のパケットの送信が失敗したとしても、失敗したパケットの送信を再試行することにより、アダプタ２からの送信を完了できる。しかし、個々のパケットの送信に失敗する確率が多くなると、アダプタ２が全データの送信を完了するのに時間が多くかかてしまうことになる。そして、個々のパケットの送信に失敗する確率は、ＰＨＳ基地局８０からの電磁波の強度が小さくなるほど高くなる。そこで、データを送信する前に、ＰＨＳ基地局８０からの電磁波の強度を測定し、その測定結果に基づいて１回当たりＰＨＳ基地局８０に送信できるデータの最大送信容量を算出するようにした。これにより、ＰＨＳ基地局８０から受ける電磁波の強度が小さく、データ転送レートが低い場合には、データの送信時間をある程度の時間以内に制限することができる。
【００５９】
このとき、ユーザーは、カーソルキー５ｄや決定釦５ｃ等を操作することにより、図１４に示す画面を液晶モニタ４に表示させることができる。図１４において、通信状態表示Ｄ２６は、通信状態が良好かどうかを示す表示である。通信状態表示Ｄ２６は、通信状態が最も悪い場合には何も表示されず、１段階目に良好である場合には１番小さい「アンテナ表示」が表示され、２段階目に良好である場合には１番目と２番目の大きさの「アンテナ表示」が表示され、最も良好である場合には全ての「アンテナ表示」が表示される。最大送信容量表示Ｄ１４は、ＰＨＳ基地局８０から受けた電磁波の強度に基づいて算出される最大送信容量を表示するものである。図１４において、通信状態表示Ｄ２６は、「アンテナ表示」が３本とも表示されており、ユーザーは現在の通信状態が良好であることを容易に把握できる。また、最大送信容量表示Ｄ１４は、「３５００ＫＢ」であり、アダプタ２がＰＨＳカード２８を介してＰＨＳ基地局８０にデータを送信できる最大容量が３５００ＫＢであることを示している。
【００６０】
次に、システム制御手段６は、アダプタ制御手段２０を介してアダプタ制御用メモリ２６から送信先一覧を読み出し、液晶モニタ４に図１５に示す画面を表示させる。図１５に示すように、送信先アドレスＤ８及びこれに関連付けされたサムネイル画像Ｄ７と共にサムネイル画像Ｄ７を表示する。これにより、ユーザーは送信先を瞬時に把握することができる。また、ユーザーは、カーソルキー５ｄを操作することにより、送信先一覧中の送信先アドレスＤ８をスクロールすることができ、所望の送信先アドレスＤ８を選択することができる。カーソルキー指示表示Ｄ１０は、ユーザーにカーソルキー５ｄの操作を指示するための表示である。図１５に示す画面において、ユーザーが所望の送信アドレスを選択して、決定釦５ｃを押下すると（Ｓ２４）、システム制御手段６は、選択した送信先アドレスＤ８をシステム制御用メモリ１３に記憶させる。
【００６１】
次に、システム制御手段６は、カードスロット１２に装着されたメモリーカード２７からサムネイル画像Ｄ１１を読み出し、液晶モニタ４に表示させる。そのときの液晶モニタ４の画面表示は図１６に示す画面となる。液晶モニタ４には、６枚のサムネイル画像Ｄ１１が同時に表示される。そして、カーソルキー５ｄを操作することにより、サムネイル画像Ｄ１１を特定するためのカーソル表示Ｄ１２を移動することができる。四角形のカーソルキー指示表示Ｄ１０は、これ以上「左」のカーソルキー５ｄを押下してもカーソル表示Ｄ１２は左に移動しないことを意味するものである。そして、三角形のカーソルキー指示表示Ｄ１０は「右」のカーソルキー５ｄを押下することにより、次の６枚のサムネイル画像Ｄ１１が表示されることを意味するものである。送信データ量情報Ｄ１３は、既に送信予定の画像として選択済みの画像のデータ量を示すものである。図１６においては、１枚の画像が選択されており、そのデータ量は３２０ＫＢであることを示している。また、最大送信容量表示Ｄ１４は、ステップＳ２３において算出される最大送信容量を表示するものである。カーソル表示画像情報Ｄ１５は、カーソル表示Ｄ１２で現在特定している画像の情報を示すものである。メモリーカード２７に記憶されている各画像は、番号付けされており、液晶モニタ４にはその番号順に表示される。図１６において、カーソル表示画像情報Ｄ１５のうち、「４枚目」とはカーソル表示Ｄ１２で特定されている「りんご」の画像が４番目の画像であることを示し、「１２５枚」とはメモリーカード２７に記憶されている画像の総数が１２５枚であることを意味する。カーソル表示画像情報Ｄ１５は、システム制御手段６がカードスロット１２に装着されたメモリーカード２７にアクセスすることにより得られる情報である。
【００６２】
ユーザーがカーソルキー５ｄや決定釦５ｃを操作することにより、送信画像の選択を確定すると（Ｓ２４）、システム制御手段６は選択した画像データの総容量が最大送信容量を超えないかを監視する（Ｓ２６）。そして、最大送信容量を超えている場合には、システム制御手段６は、図１７に示す画面を液晶モニタ４に表示させる。これにより、システム制御手段６は、ユーザーに画像データの再選択を促す（Ｓ２７）。図１７において、システム制御手段６は、最大送信容量を超える直前に既に選択済みの画像データのサムネイル画像Ｄ１１を液晶モニタ４に表示させる。そして、「一部の画像データを入れ替えますか？」と表示し、ユーザーの選択を促す。
【００６３】
ここで、ユーザーが、「Ｙｅｓ」の表示を選択すると、ステップＳ２７において「Ｙｅｓ」を選択したこととなり、システム制御手段６は、図１８に示す画面を液晶モニタ４に表示させる。これにより、システム制御手段６は、ユーザーに対して、一部入替えのために選択解除すべき画像の選択を促す。ユーザーは、カーソル表示Ｄ１２をカーソルキー５ｄを操作することにより移動し、決定釦５ｃを操作することにより、選択解除すべき画像データを決定する。そして、選択解除すべき画像データを全て選択したあと、図１８における「Ｙｅｓ」をユーザーが選択することにより、ステップＳ２５に戻る。一方、図１８における「Ｎｏ」をユーザーが選択すると、再度、システム制御手段６は、図１７に示す画面を液晶モニタ４に表示させ、ユーザーに一部の画像データを入れ替えるかどうかについての決定を促す（Ｓ２７）。
【００６４】
図１８における「Ｙｅｓ」をユーザーが選択してステップＳ２５に戻ると、システム制御手段６は、図１９に示す画面を液晶モニタ４に表示させる。これにより、システム制御手段６は、ユーザーに対して、「一部入替え」のために追加すべき画像データを選択するよう促す。図１９において、液晶モニタ４に表示されるサムネイル画像Ｄ１１は、メモリーカード２７に記憶されている画像データのうち、既に選択済みの画像データおよび一部入替えのために選択解除した画像データを除く画像データについてのサムネイル画像である。このように、既に選択済みの画像データおよび一部入替えのために選択解除した画像データを液晶モニタ４に表示しないことにより、ユーザーの選択の可能性のある画像データのみを表示するので、表示される画像データの数を絞ることができるため、ユーザーの画像データの選択を容易にすることができる。
【００６５】
ユーザーが一部入替えのための追加すべき画像データを全て選択すると、システム制御手段６は、図２０に示す画面を液晶モニタ４に表示させる。これにより、システム制御手段６は、ユーザーに対して送信操作を促す（Ｓ２８）。そして、ユーザーが、図２０において、「Ｙｅｓ」を選択することにより、システム制御手段６は、アダプタ制御手段２０に送信動作を開始するよう指示する。一方、ユーザーが、図２０において「Ｎｏ」を選択すると、ステップＳ２３に戻り、ＰＨＳ基地局８０との通信（Ｓ２３）、送信先の選択（Ｓ２４）、送信画像の選択（Ｓ２５）を再度行う。
【００６６】
また、ステップＳ２６において選択済みの画像データの総容量が最大送信容量を超えない場合（ステップＳ２６のＮｏ）や、ステップＳ２７においてユーザーが一部入替えを選択しない場合（ステップＳ２７のＮｏの場合）にも、システム制御手段６は、図２０に示す画面を液晶モニタ４に表示させ、ユーザーに対して送信操作を促す（Ｓ２８）。
【００６７】
（３）画像データの送信
次に、画像データの送信動作（Ｓ１０３）について、図２１〜２７を用いて説明する。なお、以下の説明の際、必要に応じて図３および図４を参照する。図２１は、画像データの送信動作（Ｓ１０３）を詳細に説明するためのフローチャートである。図２２は、画像データの送信中のファインダ３および液晶モニタ４の表示画面を示す図である。図２３は、画像データの送信を失敗したときの液晶モニタ４の表示画面を示す図である。図２４は、失敗した画像データの再送信をするかどうかを決定するための液晶モニタ４の表示画面を示す図である。図２５は、送信を失敗した画像データの再送信をするかどうかを決定するときの液晶モニタ４の表示画面を示す図である。図２６は、画像データの送信を完了したときの液晶モニタ４の表示画面を示す図である。図２７は、送信済み画像データについての処理を決定するための液晶モニタ４の表示画面を示す図である。
【００６８】
図２０において、ユーザーが「Ｙｅｓ」を選択すると、画像データの送信が開始される（Ｓ４０）。すると、システム制御手段６は、図２２に示す画面を液晶モニタ４に表示させ、ユーザーに対して、画像データの送信状況を通知する（Ｓ４１）。ここで、画像データの送信状況は、システム制御手段６がアダプタ制御手段２０から取得するものである。システム制御手段６は、サムネイル画像Ｄ７や送信先アドレスＤ８を液晶モニタ４に表示させることにより、画像データの送信先をユーザーに通知する。また、システム制御手段６は、送信容量残量情報Ｄ１６や送信時間情報Ｄ１７を液晶モニタ４に表示させることにより、ユーザーに送信の進捗状況を通知する。送信容量残量情報Ｄ１６は、既に送信済みのデータ量を示すものである。具体的には、図２２において、システム制御手段６は、送信容量残量情報Ｄ１６として「２枚／１０枚」という情報を表示させることにより、ユーザーに対して、１０枚の画像データを送信する予定であるところ、現在までに２枚分の画像データを送信したことを通知している。また、システム制御手段６は、送信容量残量情報Ｄ１６として「６９８ＫＢ／３２４６ＫＢ」という情報を表示させることにより、ユーザーに対して、３２４６ＫＢの画像データを送信する予定であるところ、現在までに６９８ＫＢの画像データを送信したことを通知している。さらに、システム制御手段６は、送信時間情報Ｄ１７として「あと２分です」という情報を表示させることにより、ユーザーに対して、あと２分程度で画像データの送信を完了できることを通知している。なお、送信時間情報Ｄ１７は、送信容量残量情報Ｄ１６およびＰＨＳ基地局８０との間でのデータ転送レートに基づいて、アダプタ制御手段２０が算出した情報である。
【００６９】
一方、システム制御手段６は、撮像手段７で撮像されるスルー画像Ｄ２７（図２２に示すような画像）を画像処理手段８で画像処理させて、ファインダ制御手段９を介してファインダ３に表示させる。ここで、スルー画像Ｄ２７とは、撮像手段７で撮像された画像のうち、メモリーカード２７に記憶されずに、ファインダ３または液晶モニタ４に表示される画像を意味する。ユーザーは、スルー画像Ｄ２７を利用することにより、撮像時の画角を調整できる。この状態でユーザーがシャッター釦５ｂを押下すると（Ｓ４２におけるＹｅｓ）、システム制御手段６は、撮像手段７に撮像させ、撮像された画像を画像処理手段８で画像処理させ、メモリーカード２７に記憶させる（Ｓ４３）。すなわち、液晶モニタ４に送信状況を表示する一方、ファインダ３にスルー画像Ｄ２７を表示するよう構成したため、通信モードで画像データを送信中であっても撮像動作をすることが可能である。
【００７０】
アダプタ制御手段２０は、送信中は常に送信が完了したかどうかを監視するが（Ｓ４４）、送信中に送信を失敗した場合にはその旨を示す制御信号をシステム制御手段６に送信する（Ｓ４５）。システム制御手段６は、これを受けて、図２３に示す画面を液晶モニタ４に表示させて、ユーザーに送信に失敗した旨を通知する（Ｓ４９）。そして、アダプタ制御手段２０は、画像データのファイル名、送信先のアドレス、送信日時および送信に失敗した旨を、送信履歴としてアダプタ制御用メモリ２６に記憶させる。それと同時に、アダプタ制御手段２０は、送信履歴をシステム制御手段６に送信する。システム制御手段６は、アダプタ制御手段２０から受信した送信履歴をシステム制御用メモリ１３に記憶させる（Ｓ５０）。アダプタ制御手段２０は、送信履歴の記憶が完了すると、システム制御手段６にその旨を示す制御信号を送信する。システム制御手段６は、これを受けて、アダプタ２での動作は完了したと判断し、選択手段２２に対してアダプタ２への供給電源をＯＦＦ状態にするよう指示する。選択手段２２は、システム制御手段６の指示に従って供給電源をＯＦＦにする（Ｓ５１）。
【００７１】
次に、システム制御手段６は、図２４に示す画面を液晶モニタ４に表示させることにより、失敗した画像を再送信するかどうかについてユーザーに選択を促す（Ｓ５２）。ユーザーが「再送信しますか？」の「Ｙｅｓ」を選択すると、システム制御手段６はステップＳ４０に戻り送信動作をやり直す。また、ユーザーが「再送信しますか？」の「Ｎｏ」を選択すると、システム制御手段６は図７に示すモード選択画面を液晶モニタ４に表示させ、ユーザーにモードの選択を促し（Ｓ５３）、画像データの送信動作を終了する。図２４において、ユーザーが「送信できなかった画像を確認しますか？」の「Ｙｅｓ」を選択すると、システム制御手段６は、図２５に示す画面を液晶モニタ４に表示させる。図２５において、サムネイル画像Ｄ１１は、送信に失敗した画像データのサムネイル画像であり、システム制御手段６がシステム制御用メモリ１３に記録された送信履歴に基づいてメモリーカード２７から読み出したものである。システム制御手段６は、再送信についてユーザーの選択を促す（Ｓ５２）。図２５において、ユーザーが「全部」を選択すると（ステップＳ５２のＹｅｓ）、システム制御手段６は、再度送信動作を開始する（Ｓ４０）。一方、ユーザーが「Ｎｏ」を選択すると、ステップＳ５３に移行する。また、ユーザーが「一部」を選択すると、システム制御手段６は、ユーザーが送信に失敗した画像の中から一部を選択できるよう制御し、ユーザーにより選択された画像データについて、再度送信動作を開始する（Ｓ４０）。
【００７２】
ステップＳ４５において送信に失敗しない場合（ステップＳ４５のＮｏの場合）は、ステップＳ４１に戻る。従って、システム制御手段６は、画像データの送信中、送信に失敗しない限り、ステップＳ４１、Ｓ４２、Ｓ４４およびＳ４５から構成されるループ状の動作を送信が完了するまで継続する。このループ状の動作において、ユーザーがシャッター釦５ｃを押下したときは、上述したように、システム制御手段６は、撮像動作を行う（Ｓ４３）。なお、画像データを送信するのに失敗する場合としては、例えば、アダプタ２が送信中に、カードスロット２５からＰＨＳカード２８が抜けてしまった場合やアダプタ２が建物の陰に入ってしまったためＰＨＳ基地局８０との間での通信が不能になってしまった場合などが挙げられる。
【００７３】
アダプタ２が画像データの送信を完了すると、アダプタ制御手段２０は、その旨を示す制御信号をシステム制御手段６に送信する（Ｓ４４）。システム制御手段６は、これを受けて、図２６に示す画面を液晶モニタ４に表示させる（Ｓ４６）。これにより、システム制御手段６は、ユーザーに対して、画像データの送信が完了したことおよび送信状況を通知する。図２６において、システム制御手段６は、サムネイル画像Ｄ７および送信先アドレスＤ８を液晶モニタ４に表示させることにより、ユーザーに対して、送信を完了した画像データの送信先を通知する。また、システム制御手段６は、送信済み容量情報Ｄ１８を液晶モニタ４に表示させることにより、ユーザーに対して、送信を完了した画像データの容量を通知する。送信済み容量情報Ｄ１８のうち「１０枚」は、１０枚分の画像データを送信したことを意味する。そして、送信済み容量情報Ｄ１８のうち「３２４６ＫＢ」は、その１０枚分の画像データの総容量が３２４６ＫＢであったことを意味する。また、システム制御手段６は、送信所要時間情報Ｄ１９を液晶モニタ４に表示させることにより、ユーザーに対して、画像データを送信するのに要した時間を通知する。図２６においては、１０枚分の画像データ（３２４６ＫＢ分の総容量）を２分２１秒要して送信したことを示している。
【００７４】
次に、アダプタ制御手段２０は、画像データのファイル名、送信先のアドレス、送信日時および送信を完了した旨を、送信履歴としてアダプタ制御用メモリ２６に記憶させる。それと同時に、アダプタ制御手段２０は、送信履歴をシステム制御手段６に送信する。システム制御手段６は、アダプタ制御手段２０から受信した送信履歴をシステム制御用メモリ１３に記憶させる（Ｓ４７）。アダプタ制御手段２０は、送信履歴の記憶が完了すると、システム制御手段６にその旨を示す制御信号を送信する。システム制御手段６は、これを受けて、アダプタ２での動作は完了したと判断し、選択手段２２に対してアダプタ２への供給電源をＯＦＦ状態にするよう指示する。選択手段２２は、システム制御手段６の指示に従って供給電源をＯＦＦにする（Ｓ４８）。
【００７５】
次に、システム制御手段６は、図２７に示す画面を液晶モニタ４に表示させることにより、送信した画像を確認するか、他のアドレスにも送信するかについてユーザーに選択を促す。すなわち、ユーザーが「送信済みの画像を確認しますか？」の「Ｙｅｓ」を選択すると、システム制御手段６は、システム制御用メモリ１３に記録された送信履歴に基づいてメモリーカード２７から送信済みのサムネイル画像を読み出して、液晶モニタ４に表示させる。一方、ユーザーが「送信済みの画像を確認しますか？」の「Ｎｏ」を選択すると、システム制御手段６は、図７に示すモード選択画面を液晶モニタ４に表示させ、ユーザーにモードの選択を促し（Ｓ５３）、画像データの送信動作を終了する。また、ユーザーが「他のアドレスにも送信しますか？」の「Ｙｅｓ」を選択すると、システム制御手段６は、アダプタ２の供給電源をＯＮ状態とし、アダプタ制御用メモリ２６に記憶されている送信先一覧から他のアドレスを読み出して、液晶モニタ４に表示させ、ユーザーの選択を促す。そして、ユーザーにより他の送信先が選択されると、システム制御手段６は、再度ステップＳ４０に戻り、ユーザーにより選択された送信先に画像データを送信する。この構成により、同一内容の画像データを簡単な操作により、複数の送信先に容易に送信をすることができる。
【００７６】
（４）画像データ送信の履歴の表示
以下、ユーザーが画像データの送信履歴を確認するときの動作を、図２８〜３０を用いて説明する。なお、以下の説明の際、必要に応じて図３および図４を参照する。図２８は、再生モードで送信履歴を確認するときの液晶モニタ４に表示される画面を示す図である。図２９は、通信モードで送信履歴を確認するときの液晶モニタ４に表示される画面を示す図である。図３０は、通信モードで送信履歴がないときの液晶モニタ４に表示される画面を示す図である。
【００７７】
ユーザーが、図７に示す画面において、「再生モード」を選択すると、デジタルカメラ１の動作モードは「再生モード」に設定される。「再生モード」においては、システム制御手段６は、メモリーカード２７に記憶されている画像データを読み出して、画像処理手段８および液晶モニタ制御手段１０を介して、液晶モニタ４に再生画像Ｄ２０として表示（再生）させる。図２８においては、システム制御手段６は、テニスをしている人を撮像した画像データをメモリーカード２７から読み出して、液晶モニタ４に再生画像Ｄ２０として表示させている。
【００７８】
システム制御手段６が再生画像Ｄ２０を液晶モニタ４に表示させている状態で、ユーザーがメニュー釦５ｅ等を操作すると、システム制御手段６は、送信履歴を再生画像Ｄ２０に重畳させた状態で液晶モニタ４に表示させて、ユーザーに送信履歴を通知する。図２８において、システム制御手段６は、送信先のサムネイル画像Ｄ７および送信先アドレスＤ８を液晶モニタ４上の再生画像Ｄ２０に重畳させて表示させることにより、再生画像Ｄ２０を送信した送信先をユーザーが容易に把握できるようにする。また、システム制御手段６は、送信日時情報Ｄ２１を液晶モニタ４上の再生画像Ｄ２０に重畳させて表示させることにより、再生画像Ｄ２０を送信した送信日時をユーザーが容易に把握できるようにする。また、システム制御手段６は、通信結果情報Ｄ２２を液晶モニタ４上の再生画像Ｄ２０に重畳させて表示させることにより、再生画像Ｄ２０の送信が成功したか、失敗したかまたはユーザーが途中で中止したかという通信の結果をユーザーが容易に把握できるようにする。さらに、システム制御手段６は、再生画像情報Ｄ２３を液晶モニタ４上の再生画像Ｄ２０に重畳させて表示させることにより、再生画像Ｄ２０がメモリーカード２７に記録されている番号をユーザーが容易に把握できるようにする。
【００７９】
図２８において、ユーザーは、テニスをしている人の再生画像Ｄ２０を、「ｙｏｎｅ＠ｍｅｉ．ｃｏｍ」に２００３年６月１９日午後３時４分に送信し、その送信が成功したことを把握できる。また、ユーザーは、この再生画像Ｄ２０を、「ｕｅｍａ＠ｍｅｉ．ｃｏｍ」にも２００３年６月１９日午後５時４２分に送信し、その送信が成功したことを把握できる。さらに、ユーザーは、この再生画像Ｄ２０はメモリーカード２７に「８枚目」という番号を付けられて保存されていることを把握できる。
【００８０】
次に、デジタルカメラ１が「通信モード」で動作する場合に、送信履歴を参照するときの動作を図２９を用いて説明する。図７において、ユーザーが「通信モード」を選択すると、デジタルカメラ１は「通信モード」で動作する。この状態において、ユーザーがメニュー釦５ｅ等を操作すると、システム制御手段６は、アダプタ制御用メモリ２６から送信履歴を読み出して液晶モニタ４に表示させる。図２９において、画像ファイル名Ｄ２４が示す画像データについての送信先アドレスＤ８、送信日時情報Ｄ２１、送信結果情報Ｄ２２を一覧として表示することにより、ユーザーは送信履歴を把握することができる。また、ポインタＤ２５が表示されており、ユーザーは、カーソルキー５ｄを操作することにより、このポインタＤ２５を上下移動させることができる。そして、ユーザーがポインタＤ２５を所望の画像ファイル名Ｄ２４の横に移動させて、決定釦５ｃを押下すると、システム制御手段６は、デジタルカメラ１の動作モードを「再生モード」にし、図２８に示す画面を液晶モニタ４に表示させる。すなわち、システム制御手段６は、再生画面Ｄ２０に送信履歴を重畳させた画面を液晶モニタ４に表示させる。
【００８１】
なお、デジタルカメラ１が「通信モード」で動作する場合に、ユーザーが送信履歴を参照しても、アダプタ制御用メモリ２６に送信履歴が全く記憶されていない場合には、図３０に示すように、システム制御手段６は、液晶モニタ４に送信履歴がないことをユーザーに通知する。ここで、システム制御手段６は、送信履歴を日時毎に液晶モニタ４に表示させることができる。図３０においては、ユーザーが「２００３年６月１８日」の送信履歴の参照を要求したのに対して、その日時の送信履歴がアダプタ制御用メモリ２６に記憶されていなかった場合の画面を示している。
【００８２】
以上のように本発明の実施の形態１によれば、アダプタ２は、被写体を撮像して画像データを生成するデジタルカメラ１に着脱可能であって、メモリーカード２７またはＰＨＳカード２８を選択的に装着可能なカードスロット２５と、ＰＨＳカード２８がカードスロット２５に装着されたときは、デジタルカメラ１から画像データを受信して、受信した画像データをＰＨＳカード２８を介してＰＨＳ基地局８０に送信する一方、メモリーカード２７がカードスロット２５に装着されたときは、デジタルカメラ１から画像データを受信してメモリーカード２７に記憶させ、またはメモリーカード２７に記憶された画像データを読み出してデジタルカメラ１に送信するよう制御するアダプタ制御手段２０と、を有する（図４参照）。つまり、カードスロット２５は、メモリーカード２７を装着するためのスロットおよびＰＨＳカード２８を装着するためのスロットの兼用である。この構成により、アダプタ２は、通信手段を内蔵していないので、コンパクトに実現することができ、画像データの送信が必要なときにはＰＨＳカード２８を装着することにより送信することができるので便利である。また、ユーザーは、カードスロット２５に何が装着されているかを意識しないでも、アダプタ２は、カードスロット２５に装着されている装置に応じた機能（メモリ機能または通信機能のいずれか）を行うので、ユーザーにとって特別な操作を要さず便利である。
【００８３】
また、アダプタ２は、被写体を撮像して画像データを生成するデジタルカメラ１から画像データを受信して外部の送信先に送信するものであって、送信先のアドレスＤ８およびそのアドレスＤ８に関連付けられたサムネイル画像Ｄ７を記憶するアダプタ制御用メモリ２６を有する（図１５参照）。この構成により、デジタルカメラ１は、送信先のアドレスＤ８およびサムネイル画像Ｄ７をアダプタ制御用メモリ２６から読み出して、液晶モニタ４に表示させることができるので、ユーザーは、送信先を容易に把握することができる。
【００８４】
また、アダプタ２は、被写体を撮像して画像データを生成するデジタルカメラ１に着脱可能であって、元のプログラム等のデータを記憶するアダプタ制御用メモリ２６と、新たなデータを記憶するメモリーカード２７を装着可能なカードスロット２５と、カードスロット２５にメモリーカード２７を装着すると、アダプタ制御用メモリ２６に記憶された元のデータおよびメモリーカード２７に記憶された新たなデータをそれぞれ読み出して比較し、比較した結果に応じて、新たなデータをアダプタ制御用メモリ２６に書き込むことにより元のデータを更新するアダプタ制御手段２０と、を有する（図８参照）。この構成により、ユーザーは、新たなプログラム等のデータが記憶されたメモリーカード２７をカードスロット２５に挿し込むだけで、アダプタ制御用メモリ２６内に記憶されているアダプタ２のソフトウェア等のデータを更新することができるので、ユーザーにとって便利である。特に、アダプタ２は、操作手段がなく、表示手段もないため、ユーザーがアダプタ２内のソフトウェアを更新するのは非常に困難である。そのため、特にアダプタ２に上記機能があればユーザーにとって便利である。
【００８５】
また、アダプタ２は、被写体を撮像して画像データを生成するデジタルカメラ１に着脱可能なアダプタ２であって、元のデータを記憶するアダプタ制御用メモリ２６と、新たなデータを記憶するメモリーカード２７を装着可能なカードスロット２５と、カードスロット２５にメモリーカード２７を装着すると、アダプタ制御用メモリ２６に記憶された元のデータおよびメモリーカード２７に記憶された新たなデータをそれぞれ読み出して比較し、新たなデータが元のデータをバージョンアップしたものである場合に、新たなデータをアダプタ制御用メモリ２６に書き込むことにより元のデータを更新するアダプタ制御手段２０と、を有する（図８参照）。この構成により、アダプタ制御手段２は、新たなデータが元のデータをバージョンアップしたものに当たるかどうかについても判断した上で更新動作を行うため、更新する必要の無い時まで更新動作を行うという不具合を防止できる。
【００８６】
また、アダプタ２は、被写体を撮像して画像データを生成するデジタルカメラ１に着脱可能であって、画像データの送信先のアドレスＤ８およびアドレスＤ８に関連付けられたサムネイル画像Ｄ７を記憶するアダプタ制御用メモリ２６と、新たなサムネイル画像Ｄ７を記憶するメモリーカード２７を装着可能なカードスロット２５と、カードスロット２５にメモリーカード２７を装着すると、メモリーカード２７に記憶された新たなサムネイル画像Ｄ７をアダプタ制御用メモリ２６に書き込むことにより元のサムネイル画像Ｄ７を更新するアダプタ制御手段２０と、を有する（図１１参照）。この構成により、ユーザーは、新たなサムネイル画像Ｄ７が記憶されたメモリーカード２７をカードスロット２５に挿し込むだけで、アダプタ制御用メモリ２６内に記憶されている元のサムネイル画像Ｄ７を更新することができるので、ユーザーにとって便利である。特に、アダプタ２は、操作手段がなく、表示手段もないため、ユーザーがアダプタ２内のサムネイル画像Ｄ７を更新するのは非常に困難である。そのため、特にアダプタ２に上記機能があればユーザーにとって便利である。
【００８７】
また、デジタルカメラ１とアダプタ２とから構成される撮像システムは、被写体を撮像して画像データを生成するデジタルカメラ１と画像データを外部に送信するアダプタ２とを備え、デジタルカメラ１は、アダプタ２を介して画像データを外部に送信する通信モードを含む複数の動作モードのうちからいずれかを選択でき、アダプタ２は、デジタルカメラ１が通信モードを選択したとき、自らの駆動電源を投入することを特徴とする（図６のＳ２参照）。アダプタ２は、自らの機能（通信機能）が必要なときに自らの駆動電源を投入するので、ユーザーは意識的にアダプタ２の駆動電源を投入する必要がなく、手間が省けるため便利である。また、アダプタ２は、自らの機能が必要なときにだけ自らの駆動電源を投入するので、アダプタ２で消費する電力を節約することができる。
【００８８】
また、デジタルカメラ１とアダプタ２とから構成される撮像システムは、被写体を撮像して画像データを生成するデジタルカメラ１と画像データを外部に送信するアダプタ２とを備え、アダプタ２は、画像データの送信を完了したとき、自らの駆動電源を切ることを特徴とする。アダプタ２は、自らの機能が不要になると自らの駆動電源を切るので、ユーザーは意識的にアダプタ２の駆動電源を切る必要がなく、手間が省けるため便利である。また、アダプタ２は、自らの機能が不要になると自らの駆動電源を切るので、アダプタ２で消費する電力を節約することができる。
【００８９】
また、アダプタ２は、被写体を撮像して画像データを生成するデジタルカメラ１に着脱可能であって、ＰＨＳ基地局８０との間で電磁波を交換することによりデータを送受信するＰＨＳカード２８と、ＰＨＳカード２８がＰＨＳ基地局８０から受ける電磁波の強度を測定し、測定した電磁波の強度に基づいてＰＨＳ基地局８０に送信するデータの最大容量を算出するアダプタ制御手段２０を有する（図１４参照）。この構成により、ユーザーは、アダプタ２を用いてＰＨＳ基地局８０に画像データ等のデータを一定時間内に送信できる容量を容易に把握できるので、予想外に送信時間を要する等の不具合の発生を防ぐことが出来る。
【００９０】
（実施の形態２）
本発明の実施の形態１において、アダプタ２は、カードスロット２５にＰＨＳカード２８を装着することにより、ＰＨＳカード２８を介してＰＨＳ基地局８０と通信するよう構成した（図４参照）。これに対して、本発明の実施の形態２では、アダプタ６０は、ＰＨＳ基地局８０と通信するためのＰＨＳ通信手段６１を内蔵し、このＰＨＳ通信手段６１を介してＰＨＳ基地局８０と通信するよう構成した（図３２参照）。以下、本発明の実施の形態２にかかるデジタルカメラ１およびアダプタ６０について、図３１〜図３５を用いて説明する。
【００９１】
図３１は本発明の実施の形態２におけるアダプタ６０がＰＨＳ基地局８０と通信するときの関係を示すブロック図である。アダプタ６０は、デジタルカメラ１と接続している。そして、アダプタ６０は、デジタルカメラ１から画像データを取得して、取得した画像データをＰＨＳ基地局８０を介してＷＥＢサーバ８２に送信する。アダプタ６０は、ＰＨＳ基地局８０に対して電磁波により画像データを送信する。ＰＨＳ基地局８０は、アダプタ６０から受けた画像データをインターネット８１を介してＷＥＢサーバ８２に送信する。ＷＥＢサーバ８２は、アダプタ６０から受けた画像データを内部の記録媒体に記憶する。
【００９２】
図３２は本発明の実施の形態２におけるデジタルカメラ１とアダプタ６０を接続した状態の構成を示すブロック図である。図３２において、アダプタ６０は、デジタルカメラ１と接続する付属装置である。ＰＨＳ通信手段６１は、ＰＨＳ基地局８０と通信し、ＰＨＳ基地局８０に対して画像データ等のデータを送信する通信手段である。カードスロット６２は、少なくともメモリーカード２７を装着可能な装着手段であり、ブルートゥースカードやＩ／Ｏカード等も選択的に装着できるよう構成しても良い。また、外部電源端子６３は外部電源６４（図３３参照）から駆動電源の供給を受けるための端子である。従って、アダプタ６０は、デジタルカメラ１から電源供給を受けて駆動するだけでなく、独自に外部電源６５から駆動電源の供給を受けることもできる。ＬＥＤ６４は、発光ダイオード（ＬＥＤはＬｉｇｈｔ  Ｅｍｉｔｔｉｎｇ  Ｄｉｏｄｅの略称）であり、アダプタ６０がＰＨＳ基地局８０と通信中に点灯する。従って、ユーザーは、ＬＥＤ６４が点灯すると、アダプタ６０がＰＨＳ基地局８０と通信中であることを認識できる。図３２における他の構成要素は、図４に示す構成要素と同様であるため、図４と同一の符号を付し説明を省略する。
【００９３】
なお、アダプタ６０は本発明の通信装置の一例である。ＰＨＳ通信手段６１は本発明の通信手段の一例である。カードスロット６２は、本発明の携帯装置装着手段の一例である。
【００９４】
上述したように、図３２に示す本発明の実施の形態２にかかるアダプタ６０は、ＰＨＳ通信手段６１を内蔵した点および外部電源端子６３、ＬＥＤ６４を設けた点が本発明の実施の形態１にかかるアダプタ２と異なるだけであるので、アダプタ６０およびこれと接続したデジタルカメラ１は、本発明の実施の形態１で説明したアダプタ２およびこれと接続したデジタルカメラ１と同様の動作をする。すなわち、アダプタ６０およびこれと接続したデジタルカメラ１は、図５、図６、図１３および図２１のフローチャートに示す動作を行う。そこで、これらの動作は実施の形態１と共通するため説明を省略し、以下ではアダプタ６０の動作のうちアダプタ２と相違する動作について説明する。
【００９５】
図３３は、カードスロット６２にメモリーカード２７を装着し、外部電源端子６３に外部電源６４を接続したときのアダプタ６０の構成を示すブロック図である。図３３において、アダプタ６０は、デジタルカメラ１と分離した状態である。メモリーカード２７は、ユーザーによりカードスロット６２に装着されている。外部電源端子６３は、外部電源６４と接続コード６５を介して接続されている。この状態における動作を図３４を用いて説明する。
【００９６】
図３４は、カードスロット６２にメモリーカード２７を装着し、メモリーカード２７に記憶された画像データをＰＨＳ通信手段６１を介してＰＨＳ基地局８０に送信するときの動作を説明するためのフローチャートである。
【００９７】
なお、メモリーカード２７には、図３５に示すように、予めデジタルカメラ１やパーソナルコンピュータ（図示せず）を用いて、送信命令信号Ｄ３０、送信先アドレスＤ８および画像データＤ２９を記憶させておく。図３５において、送信命令信号Ｄ３０は、アダプタ制御手段２０に対して、メモリーカード２７に記憶されている送信アドレスＤ８にメモリーカード２７に記憶されている画像データＤ２９をＰＨＳ基地局８０を介して送信するよう命令することを表す制御信号である。送信先アドレスＤ８は、データがＰＨＳ基地局８０を介して送信される送信先を示すアドレスである。メモリーカード２７は、送信先アドレスＤ８として、「ｙｏｎｅ＠ｍｅｉ．ｃｏｍ」を記憶している。メモリーカード２７は、画像データＤ２９として、「Ｆｉｌｅ１．ＪＰＧ」および「Ｆｉｌｅ２．ＪＰＧ」を記憶している。
【００９８】
図３４において、まず、ユーザーは、外部電源端子６３に外部電源６４を接続する（Ｓ６０）。すると、アダプタ２０は、自らの設定を初期化する。そして、アダプタ２０は、ＰＨＳ通信手段６１にＰＨＳ基地局８０との通信を開始するよう指示する。ＰＨＳ通信手段６１は、これを受けてＰＨＳ基地局８０との通信を開始し、ＰＨＳ基地局８０からＰＨＳ基地局８０のＩＤ等を取得する（Ｓ６１）。
【００９９】
アダプタ制御手段２０は、この状態で待機する（Ｓ６２）。そして、ユーザーがメモリーカード２７をカードスロット６２に装着すると、アダプタ制御手段２０は、メモリーカード２７がカードスロット６２に装着された旨の信号をカードスロット６２から受ける（Ｓ６２のＹｅｓ）。そして、アダプタ制御手段２０は、メモリーカード２７内に送信命令信号Ｄ３０があるかどうかを確認する。上述の通り、メモリーカード２７には、送信命令信号Ｄ３０が記憶されているので、アダプタ制御手段２０は、これを検出し（Ｓ６３）、送信動作を開始する。一方、メモリーカード２７に送信命令信号Ｄ３０が記憶されていない場合には（Ｓ６３のＮｏ）、アダプタ制御手段２０はこの状態で待機する。
【０１００】
アダプタ制御手段２０は、送信動作を開始すると、まず、メモリーカード２７から送信先アドレスＤ８を読み出し（Ｓ６４）、読み出した送信先アドレスＤ８をアダプタ制御用メモリ２６に記憶させる。次に、アダプタ制御手段２０は、メモリーカード２７から画像データＤ２９を読み出し（Ｓ６５）、アダプタ制御用メモリ２６に記憶させる。そして、アダプタ制御手段２０は、アダプタ制御用メモリ２６から送信先アドレスＤ８と画像データＤ２９を読み出し、これらをまとめて送信できるデータ形式に変換し、変換後のデータをＰＨＳ通信手段６１に送信する。ＰＨＳ通信手段６１は、これを受けて、ＰＨＳ基地局８０に送信する（Ｓ６６）。ＰＨＳ通信手段６１がＰＨＳ基地局８０に送信している間、ＬＥＤ６４は点灯する。ＬＥＤ６４が点灯することにより、ユーザーは、アダプタ６０がＰＨＳ基地局８０と通信中であることを認識することができる。
【０１０１】
ＰＨＳ通信手段６１は、ＰＨＳ基地局８０への送信が成功すると、その旨を示す制御信号をアダプタ制御手段２０に送信する。アダプタ制御手段２０は、ＰＨＳ通信手段６１から送信成功の制御信号を受けると、アダプタ制御用メモリ２６に送信履歴を記憶させる。この送信履歴は、送信先アドレスＤ８、画像データＤ２９に関する情報、送信日時、送信が成功したかどうか等を含む情報である。アダプタ制御用メモリ２６が送信履歴を記憶し終わると、一連の送信動作は終了する。
【０１０２】
以上のように、本発明の実施の形態２によれば、アダプタ６０は、外部の送信先のアドレスＤ８およびデータを記憶するメモリーカード２７を装着可能なカードスロット６２と、メモリーカード２７がカードスロット６２に装着されると、メモリーカード２７に記憶されているアドレスＤ８およびデータＤ２９を読み出して、アドレスＤ８が示す送信先にメモリーカード２７から読み出したデータＤ２９を送信するＰＨＳ通信手段６１と、を有する（図３３〜３５参照）。この構成により、メモリーカード２７をカードスロット６２に装着しただけでメモリーカード２７に予め記憶されている送信先アドレスＤ８にデータＤ２９を送信できるため、ユーザーにとって便利である。特に、アダプタ６０は、操作手段がなく、表示手段もＬＥＤ６４があるだけであるから、ユーザーがアダプタ６０のみを用いてデータを送信するのは非常に困難である。そのため、アダプタ６０に上記機能があればユーザーにとって便利である。
【０１０３】
（実施の形態３）
本発明の実施の形態３にかかるデジタルカメラ２００は、システム制御手段２０１、システム制御用メモリ２０２およびカードスロット２０３を設けることにより、本発明の実施の形態１にかかるデジタルカメラ１およびアダプタ２から構成されるシステムと同様の動作をする。
【０１０４】
図３６は本発明の実施の形態３におけるデジタルカメラ２００がＰＨＳ基地局８０と通信するときの関係を示すブロック図である。デジタルカメラ２００は、撮像した画像データをＰＨＳ基地局８０を介してＷＥＢサーバ８２に送信する。デジタルカメラ２００は、ＰＨＳ基地局８０に対して電磁波により画像データを送信する。ＰＨＳ基地局８０は、デジタルカメラ２００から受けた画像データをインターネット８１を介してＷＥＢサーバ８２に送信する。ＷＥＢサーバ８２は、デジタルカメラ２００から受けた画像データを内部の記録媒体に記憶する。
【０１０５】
図３７は本発明の実施の形態３におけるデジタルカメラ２００の背面図である。デジタルカメラ２００の背面の構成はデジタルカメラ１の背面の構成と同様であるため説明を省略する。
【０１０６】
図３８は本発明の実施の形態３におけるデジタルカメラ２００の構成を示すブロック図である。システム制御手段２０１はマイコン等から構成される。システム制御手段２０１は、撮像手段７、画像処理手段８、画像メモリ１１、カードスロット１２、システム制御用メモリ２０２．カードスロット２０３等のデジタルカメラ２００全体を制御する制御手段である。システム制御手段２０１は、図４におけるシステム制御手段６とアダプタ制御手段２０とを複合した機能を有する。つまり、システム制御手段２０１は、デジタルカメラ２００の撮像動作の制御機能に加えて、ＰＨＳ基地局８０との通信動作の制御機能も有する。カードスロット２０３は、ＰＨＳカード２８等を装着可能な装着手段である。カードスロット２０３にＰＨＳカード２８を装着することにより、ＰＨＳ基地局８０と通信可能となる。システム制御用メモリ２０２はＤＲＡＭ、ＳＲＡＭ、フラッシュメモリ、ＦｅＲＡＭ等の半導体メモリから構成される。システム制御用メモリ２０２は、フラッシュメモリやＦｅＲＡＭ等の不揮発性メモリであることが好ましい。システム制御用メモリ２０２は、システム制御手段２０１が制御するために用いるプログラムやＰＨＳカード２８を介して取得した画像データ等の各種のデータを記憶する。
【０１０７】
なお、カードスロット２０３は本発明の携帯装置装着手段の一例である。システム制御手段２０１は本発明の撮像装置制御手段の一例である。デジタルカメラ２００は本発明の撮像装置の一例である。
【０１０８】
（動作の説明）
以上のように構成されたデジタルカメラ２００は、本発明の実施の形態１にかかるデジタルカメラ１およびアダプタ２から構成されるシステムと同様に、図３９に示すように４つの動作を行う。まず、デジタルカメラ２００の設定を行い（Ｓ１２１）、画像データ送信の準備を行い（Ｓ１２２）、画像データの送信を行い（Ｓ１２３）、画像データ送信の履歴を表示する（Ｓ１２４）。以下、各動作の詳細を説明する。
【０１０９】
（１）デジタルカメラ２００の設定
デジタルカメラ２００の設定動作（Ｓ１２１）について、図７〜１１、４０を用いて説明する。図４０は、デジタルカメラ２００の設定動作（Ｓ１２１）を詳細に説明するためのフローチャートである。
【０１１０】
まず、システム制御手段２０１は、ユーザーの選択により動作モードを「設定モード」に決定する（Ｓ２０１）。すると、システム制御手段２０１は、システム制御用メモリ２０２に記憶されているデータを読み出し（Ｓ２０３）、その情報を液晶モニタ４に表示する（Ｓ２０４）。このときの表示は図８（ａ）に示すものと同様のものである。ユーザーがメモリーカード２７をカードスロット２０３に装着するまでこの状態で待機する（Ｓ２０５）。
【０１１１】
次に、ユーザーがカードスロット２０３にメモリーカード２７を装着すると（Ｓ２０５）、システム制御手段２０１は、メモリーカード２７にアクセスを開始する。
【０１１２】
システム制御手段２０１は、メモリーカード２７に記憶された内容を解析することによって、メモリーカード２７に記憶されたデータがデジタルカメラ２００の設定に必要なデータであることを認識する（Ｓ２０６のＹｅｓ）。次に、システム制御手段２０１は、メモリーカード２７に記憶されたデータに付されている識別子を、すでにシステム制御用メモリ２０２に記憶されているデータに付されている識別子と比較する（Ｓ２０７）。
【０１１３】
ステップＳ２０８において、システム制御手段２０１は、ユーザーに対して、ソフトウェアのバージョンアップ等の更新をするかしないかについての決定を促すための画面を液晶モニタ４に表示させる（Ｓ２０８）。この画面は図９に示すのと同様の画面である。この画面において、ユーザーは、ソフトウェアのバージョンアップ等の更新をするかしないかを決定する。ユーザーが更新をする旨をマニュアル入力すると、システム制御手段２０１は操作手段５からその旨の制御信号を受け、カードスロット２０３に装着されたメモリーカード２７から更新すべきデータを読み出して、システム制御用メモリ２０２に書き込む。その際、書き込み前のデータは削除する。以上の動作により、システム制御手段２０１は、システム制御用メモリ２０２内に記憶されているソフトウェア等を更新することができる（Ｓ２０９）。システム制御用メモリ２０２における更新が終了すると、システム制御手段２０１は、更新後のデータに関する情報を液晶モニタ４に表示させる。この表示は図１０に示す画面と同様のものである。これにより、ユーザーは、システム制御用メモリ２０２内のデータが更新されたことを確認できる。
【０１１４】
次に、システム制御手段２０１は液晶モニタ４に図７に示すモード選択画面を表示させて（Ｓ２１１）、デジタルカメラ２００の設定動作（Ｓ１０１）を終了する。
【０１１５】
本発明の実施の形態３にかかるデジタルカメラ２００は、本発明の実施の形態１にかかるアダプタ２と同様に、送信先アドレスに付加されたサムネイル画像Ｄ７（図１１参照）を更新することができる。この更新は、図４０に示すフローチャートに従った動作により実現できる。
【０１１６】
（２）画像データ送信の準備
以下、画像データ送信の準備（Ｓ１２２）の動作について、図４１を用いて説明する。なお、以下の説明の際、必要に応じて図１４〜図２０を参照する。図４１は、画像データ送信の準備（Ｓ１２２）の動作を詳細に説明するためのフローチャートである。
【０１１７】
まず、システム制御手段２０１は、液晶モニタ４に図７に示す画面を表示させ、ユーザーにモードの選択を促す。そして、ユーザーが「通信モード」を選択すると（Ｓ２２１）、システム制御手段２０１は、カードスロット２０３に装着されたＰＨＳカード２８を介してＰＨＳ基地局８０とアクセスを開始するよう動作する（Ｓ２２３）。ここで、ＰＨＳカード２８がカードスロット２０３に装着されている場合は、アクセス開始動作が続行されるが、装着されていない場合は、システム制御手段２０１がその旨を検知し、液晶モニタ４にＰＨＳカード２８がカードスロット２０３に装着されていない旨を表示させる。例えば、「ＰＨＳカードが装着されていないため、通信できません。ＰＨＳカードを装着して下さい。」と表示し、ユーザーに通信不能であることを知らせ、ＰＨＳカード２８の装着を促す。
【０１１８】
ステップＳ２２３において、システム制御手段２０１は、ＰＨＳ基地局８０とのアクセスを開始し、プロトコルを交換したり、基地局のＩＤ等を取得したりする。そして、ＰＨＳカード２８は、ＰＨＳ基地局８０から受ける電磁波の強度を測定する。そして、システム制御手段２０１は、この電磁波の強度に基づいて１回当たりＰＨＳ基地局８０に送信できるデータの最大送信容量を算出する。
【０１１９】
次に、システム制御手段２０１は、システム制御用メモリ２０２から送信先一覧を読み出し、液晶モニタ４に図１５に示す画面を表示させる。図１５に示すように、送信先アドレスＤ８と共にサムネイル画像Ｄ７を表示する。これにより、ユーザーは送信先を容易に把握することができる。図１５に示す画面において、ユーザーが所望の送信先アドレスＤ８を選択し決定すると（Ｓ２２４）、システム制御手段２０１は、送信先アドレスＤ８について選択済みであることをシステム制御用メモリ２０２に記憶させる。
【０１２０】
次に、システム制御手段２０１は、カードスロット１２に装着されたメモリーカード２７からサムネイル画像Ｄ１１を読み出し、液晶モニタ４に表示させる。そのときの液晶モニタ４の画面表示は図１６に示す画面となる。液晶モニタ４には、６枚のサムネイル画像Ｄ１１が同時に表示される。ユーザーがカーソルキー５ｄや決定釦５ｃを操作することにより、送信画像の選択を確定すると（Ｓ２２５）、システム制御手段２０１は選択した画像データの総容量が最大送信容量を超えないかを監視する（Ｓ２２６）。そして、最大送信容量を超えている場合には、システム制御手段２０１は、図１７に示す画面を液晶モニタ４に表示させる。これにより、システム制御手段２０１は、ユーザーに画像データの再選択を促す（Ｓ２２７）。図１７において、システム制御手段２０１は、最大送信容量を超える直前に既に選択済みの画像データのサムネイル画像Ｄ１１を液晶モニタ４に表示させる。そして、「一部の画像データを入れ替えますか？」と表示し、ユーザーの選択を促す。
【０１２１】
ここで、ユーザーが、「Ｙｅｓ」の表示を選択すると、ステップＳ２２７において「Ｙｅｓ」を選択したこととなり、システム制御手段２０１は、図１８に示す画面を液晶モニタ４に表示させる。これにより、システム制御手段２０１は、ユーザーに対して、一部入替えのために選択解除すべき画像の選択を促す。ユーザーは、カーソル表示Ｄ１２をカーソルキー５ｄを操作することにより移動し、決定釦５ｃを操作することにより、選択解除すべき画像データを決定する。そして、選択解除すべき画像データを全て選択したあと、図１８における「Ｙｅｓ」をユーザーが選択することにより、ステップＳ２２５に戻る。一方、図１８における「Ｎｏ」をユーザーが選択すると、再度、システム制御手段２０１は、図１７に示す画面を液晶モニタ４に表示させ、ユーザーに一部の画像データを入れ替えるかどうかについての決定を促す（Ｓ２２７）。
【０１２２】
図１８における「Ｙｅｓ」をユーザーが選択してステップＳ２２５に戻ると、システム制御手段２０１は、図１９に示す画面を液晶モニタ４に表示させる。これにより、システム制御手段２０１は、ユーザーに対して、「一部入替え」のために追加すべき画像データを選択するよう促す。
【０１２３】
ユーザーが一部入替えのための追加すべき画像データを全て選択すると、システム制御手段２０１は、図２０に示す画面を液晶モニタ４に表示させる。これにより、システム制御手段２０１は、ユーザーに対して送信操作を促す（Ｓ２２８）。そして、ユーザーが、図２０において、「Ｙｅｓ」を選択することにより、システム制御手段２０１は、送信動作を開始する。一方、ユーザーが、図２０において「Ｎｏ」を選択すると、ステップＳ２２３に戻り、基地局との通信（Ｓ２２３）、送信先の選択（Ｓ２２４）送信画像の選択（Ｓ２２５）を再度行う。
【０１２４】
また、ステップＳ２２６において選択済みの画像データの総容量が最大送信容量を超えない場合（ステップＳ２２６のＮｏ）や、ステップＳ２２７においてユーザーが一部入替えを選択しない場合（ステップＳ２２７のＮｏの場合）にも、システム制御手段２０１は、図２０に示す画面を液晶モニタ４に表示させ、ユーザーに対して送信操作を促す（Ｓ２２８）。
【０１２５】
（３）画像データの送信
次に、画像データの送信動作（Ｓ１２３）について、図４２を用いて説明する。なお、以下の説明の際、必要に応じて図２２〜２６を参照する。図４２は、画像データの送信動作（Ｓ１２３）を詳細に説明するためのフローチャートである。
【０１２６】
図２０において、ユーザーが「Ｙｅｓ」を選択すると、画像データの送信が開始される（Ｓ２４０）。すると、システム制御手段２０１は、図２２に示す画面を液晶モニタ４に表示させ、ユーザーに対して、画像データの送信状況を通知する（Ｓ２４１）。
【０１２７】
一方、システム制御手段２０１は、撮像手段７で撮像されるスルー画像Ｄ２７（図２２に示すような画像）を画像処理手段８で画像処理させて、ファインダ制御手段９を介してファインダ３に表示させる。この状態でユーザーがシャッター釦５ｂを押下すると（Ｓ２４２におけるＹｅｓ）、システム制御手段２０１は、撮像手段７に撮像させ、撮像された画像データを画像処理手段８で画像処理させ、メモリーカード２７に記憶させる（Ｓ２４３）。
【０１２８】
システム制御手段２０１は、送信中は常に送信が完了したかどうかを監視するが（Ｓ２４４）、送信中に送信を失敗した場合にはその旨を示す制御信号をシステム制御手段２０１に送信する（Ｓ２４５）。システム制御手段２０１は、これを受けて、図２３に示す画面を液晶モニタ４に表示させて、ユーザーに送信に失敗した旨を通知する（Ｓ２４９）。そして、システム制御手段２０１は、画像データのファイル名、送信先のアドレス、送信日時および送信に失敗した旨を、送信履歴としてシステム制御用メモリ２０２に記憶させる（Ｓ２５０）。
【０１２９】
次に、システム制御手段２０１は、図２４に示す画面を液晶モニタ４に表示させることにより、失敗した画像を再送信するかどうかについてユーザーに選択を促す（Ｓ２５２）。ユーザーが「再送信しますか？」の「Ｙｅｓ」を選択すると、システム制御手段２０１はステップＳ２４０に戻り送信動作をやり直す。また、ユーザーが「再送信しますか？」の「Ｎｏ」を選択すると、システム制御手段２０１は図７に示すモード選択画面を液晶モニタ４に表示させ、ユーザーにモードの選択を促し（Ｓ２５３）、画像データの送信動作を終了する。図２４において、ユーザーが「送信できなかった画像を確認しますか？」の「Ｙｅｓ」を選択すると、システム制御手段２０１は、図２５に示す画面を液晶モニタ４に表示させる。図２５において、サムネイル画像Ｄ１１は、送信に失敗した画像データのサムネイル画像であり、システム制御手段２０１がシステム制御用メモリ２０２に記録された送信履歴に基づいてメモリーカード２７から読み出したものである。システム制御手段２０１は、再送信についてユーザーの選択を促す（Ｓ２５２）。図２５において、ユーザーが「全部」を選択すると（ステップＳ２５２のＹｅｓ）、システム制御手段２０１は、再度送信動作を開始する（Ｓ２４０）。一方、ユーザーが「Ｎｏ」を選択すると、ステップＳ２５３に移行する。また、ユーザーが「一部」を選択すると、システム制御手段２０１は、ユーザーが送信に失敗した画像の中から一部を選択できるよう制御し、ユーザーにより選択された画像データについて、再度送信動作を開始する（Ｓ２４０）。
【０１３０】
ステップＳ２４５において送信に失敗しない場合（ステップＳ２４５のＮｏの場合）は、ステップＳ２４１に戻る。従って、システム制御手段２０１は、画像データの送信中、送信に失敗しない限り、ステップＳ２４１、Ｓ２４２、Ｓ２４４およびＳ２４５から構成されるループ状の動作を送信が完了するまで継続する。このループ状の動作において、ユーザーがシャッター釦５ｃを押下したときは、上述したように、システム制御手段２０１は、撮像動作を行う（Ｓ２４３）。
【０１３１】
デジタルカメラ２００が画像データの送信を完了すると、ＰＨＳカード２８は、その旨を示す制御信号をシステム制御手段２０１に送信する（Ｓ２４４）。システム制御手段２０１は、これを受けて、図２６に示す画面を液晶モニタ４に表示させる（Ｓ２４６）。これにより、システム制御手段２０１は、ユーザーに対して、画像データの送信が完了したことおよび送信状況を通知する。
【０１３２】
次に、システム制御手段２０１は、画像データのファイル名、送信先のアドレス、送信日時および送信を完了した旨を、送信履歴としてシステム制御用メモリ２０２に記憶させる（Ｓ２４７）。
【０１３３】
次に、システム制御手段２０１は、図２７に示す画面を液晶モニタ４に表示させることにより、送信した画像を確認するか、他のアドレスにもの送信するかについてユーザーに選択を促す。すなわち、ユーザーが「送信済みの画像を確認しますか？」の「Ｙｅｓ」を選択すると、システム制御手段２０１は、システム制御用メモリ２０２に記録された送信履歴に基づいてメモリーカード２７から送信済みのサムネイル画像を読み出して、液晶モニタ４に表示させる。一方、ユーザーが「送信済みの画像を確認しますか？」の「Ｎｏ」を選択すると、システム制御手段２０１は、図７に示すモード選択画面を液晶モニタ４に表示させ、ユーザーにモードの選択を促し（Ｓ２５３）、画像データの送信動作を終了する。また、ユーザーが「他のアドレスにも送信しますか？」の「Ｙｅｓ」を選択すると、システム制御手段２０１は、システム制御用メモリ２０２に記憶されている送信先一覧から他のアドレスを読み出して、液晶モニタ４に表示させ、ユーザーの選択を促す。そして、ユーザーにより他の送信先が選択されると、システム制御手段２０１は、再度ステップＳ２４０に戻り、ユーザーにより選択された送信先に画像データを送信する。この構成により、同一内容の画像データを簡単な操作により、複数の送信先に容易に送信をすることができる。
【０１３４】
（４）画像データ送信の履歴の表示
以下、ユーザーが画像データの送信履歴を確認するときの動作を、図２８〜３０を用いて説明する。
【０１３５】
ユーザーが、図７に示す画面において、「再生モード」を選択すると、デジタルカメラ２００の動作モードは「再生モード」に設定される。「再生モード」においては、システム制御手段２０１は、カードスロット１２に装着されたメモリーカード２７に記憶されている画像データを読み出して、画像処理手段８および液晶モニタ制御手段１０を介して、液晶モニタ４に再生画像Ｄ２０として表示（再生）させる。
【０１３６】
システム制御手段２０１が再生画像Ｄ２０を液晶モニタ４に表示させている状態で、ユーザーがメニュー釦５ｅ等を操作すると、システム制御手段２０１は、送信履歴を再生画像Ｄ２０に重畳させた状態で液晶モニタ４に表示させて、ユーザーに送信履歴を通知する。
【０１３７】
次に、デジタルカメラ２００が「通信モード」で動作する場合に、送信履歴を参照するときの動作を図２９を用いて説明する。図７において、ユーザーが「通信モード」を選択すると、デジタルカメラ２００は「通信モード」で動作する。この状態において、ユーザーがメニュー釦５ｅ等を操作すると、システム制御手段２０１は、システム制御用メモリ２０２から送信履歴を読み出して液晶モニタ４に表示させる。図２９において、ポインタＤ２５が表示されており、ユーザーは、カーソルキー５ｄを操作することにより、このポインタＤ２５を上下移動させることができる。そして、ユーザーがポインタＤ２５を所望の画像ファイル名Ｄ２４の横に移動させて、決定釦５ｃを押下すると、システム制御手段２０１は、デジタルカメラ２００の動作モードを「再生モード」にし、図２８に示す画面を液晶モニタ４に表示させる。すなわち、システム制御手段２０１は、再生画面Ｄ２０に送信履歴を重畳させた画面を液晶モニタ４に表示させる。
【０１３８】
なお、デジタルカメラ２００が「通信モード」で動作する場合に、ユーザーが送信履歴を参照しても、システム制御用メモリ２０２に送信履歴が全く記憶されていない場合には、図３０に示すように、システム制御手段２０１は、液晶モニタ４に送信履歴がないことをユーザーに通知する。ここで、システム制御手段２０１は、画像データを送信した日付毎に送信履歴を液晶モニタ４に表示させることができる。
【０１３９】
また、上記の実施例ではカードスロット２０３にＰＨＳカード２８を装着することにより、デジタルカメラ２００はＰＨＳ基地局８０と通信可能となるように構成したが、図４３に示すように、デジタルカメラ３００内にＰＨＳ通信手段６１を内蔵する構成としてもよい。デジタルカメラ３００は、ＰＨＳ通信手段６１がＰＨＳ基地局８０と通信することにより、ＰＨＳ基地局８０に対して画像データを送信できる。デジタルカメラ３００の動作は、デジタルカメラ２００の動作と同様であるため、説明を省略する。
【０１４０】
なお、デジタルカメラ３００は本発明の通信装置の一例である。ＰＨＳ通信手段６１は本発明の通信手段の一例である。システム制御用メモリ２０２は本発明の通信装置記憶手段の一例である。カードスロット１２は本発明の携帯装置装着手段の一例である。システム制御手段２０１は本発明の通信装置制御手段の一例である。液晶モニタ４は本発明の表示手段の一例である。ＰＨＳ通信手段６１は本発明の電磁強度測定手段の一例でもある。システム制御手段２０１は本発明の送信容量算出手段の一例でもある。
【０１４１】
また、デジタルカメラ３００は本発明の撮像装置の一例でもある。システム制御用メモリ２０２は本発明の撮像装置記憶手段の一例でもある。液晶モニタ４は本発明の第１の表示手段の一例でもある。ファインダ３は本発明の第２の表示手段の一例でもある。
【０１４２】
以上のように本発明の実施の形態３によれば、デジタルカメラ２００は、被写体を撮像して画像データを生成する撮像手段７と、メモリーカード２７またはＰＨＳカード２８を選択的に装着可能なカードスロット２０３と、カードスロット２０３にＰＨＳカード２８を装着したときは、撮像手段７で生成した画像データをＰＨＳカード２８を介して外部に送信する一方、カードスロット２０３にメモリーカード２７を装着したときは、撮像手段７で撮像した画像データをメモリーカード２７に記憶させるよう制御するシステム制御手段２０１と、を有する（図３８参照）。この構成により、デジタルカメラ２００は、通信手段を内蔵していないので、コンパクトに実現することができ、画像データの送信が必要なときにはＰＨＳカード２８を装着することにより送信することができるので便利である。また、ユーザーがカードスロット２０３に何が装着されているかを意識しないでも、デジタルカメラ２００は、カードスロット２０３に装着されている装置に応じた機能（メモリ機能または通信機能のいずれか）を行うので、ユーザーにとって特別な操作を要さず便利である。
【０１４３】
また、デジタルカメラ３００は、データを外部の送信先に送信するＰＨＳ通信手段６１と、送信先のアドレスＤ８およびそのアドレスＤ８に関連付けられた元のサムネイル画像Ｄ７を記憶するシステム制御用メモリ２０２と、新たなサムネイル画像Ｄ７を記憶するメモリーカード２７を装着可能なカードスロット１２と、カードスロット１２にメモリーカード２７を装着すると、メモリーカード２７に記憶された新たなサムネイル画像Ｄ７をシステム制御用メモリ２０２に書き込むことにより元のサムネイル画像Ｄ７を更新するシステム制御手段２０１と、を有する（図１１参照）。この構成により、ユーザーは、新たなサムネイル画像Ｄ７が記憶されたメモリーカード２７をカードスロット１２に挿し込むだけで、システム制御用メモリ２０２内に記憶されている元のサムネイル画像Ｄ７を更新することができるので、ユーザーにとって便利である。
【０１４４】
また、デジタルカメラ３００は、データを外部の送信先に送信するＰＨＳ通信手段６１と、送信先のアドレスＤ８およびそのアドレスＤ８に関連付けられたサムネイル画像Ｄ７を記憶するシステム制御用メモリ２０２と、液晶モニタ４と、システム制御用メモリ２０２に記憶されたアドレスＤ８を選択する操作手段５と、アドレスＤ８が操作手段５で選択されたとき、アドレスＤ８およびそのアドレスＤ８に関連付けられたサムネイル画像Ｄ７をシステム制御用メモリ２０２から読み出し液晶モニタ４に表示させるよう制御するシステム制御手段２０１と、を有する（図１５参照）。この構成により、デジタルカメラ３００は、送信先のアドレスＤ８およびサムネイル画像Ｄ７をシステム制御用メモリ２０２から読み出して、液晶モニタ４に表示させることができるので、ユーザーは、送信先を容易に把握することができる。
【０１４５】
また、デジタルカメラ３００は、ＰＨＳ基地局８０との間で電磁波を交換することによりデータを送受信するＰＨＳ通信手段６１と、ＰＨＳ通信手段６１がＰＨＳ基地局８０から受ける電磁波の強度を測定し、測定した電磁波の強度に基づいてＰＨＳ基地局８０に送信するデータの最大送信容量Ｄ１４を算出するシステム制御手段２０１と、データを記憶するシステム制御用メモリ２０２と、システム制御用メモリ２０２に記憶されたデータの中からＰＨＳ基地局８０に送信するデータを選択する操作手段５と、操作手段５で選択されたデータの容量Ｄ１３がシステム制御手段２０１で算出した最大送信容量Ｄ１４を超えたときは、その旨を表示する液晶モニタ４と、を有する（図１７参照）。この構成により、ユーザーは、最大送信容量を超える容量の画像データを送信すべき画像データとして選択した場合であっても、選択済みの画像データの容量が最大送信容量を超えたことを容易に把握することができるため、所定容量以上の画像データを送信してしまうという不具合を防止できる。従って、画像データの送信に所定時間以上の時間を要したという不具合を防止できる。
【０１４６】
また、デジタルカメラ３００は、データを記憶するシステム制御用メモリ２０２と、システム制御用メモリ２０２に記憶されたデータの内いずれかを選択する操作手段５と、操作手段５で選択されたデータを外部の送信先に送信するＰＨＳ通信手段６１と、ＰＨＳ通信手段６１が選択されたデータを送信する前に操作手段５で選択したデータの容量を算出し、この容量が所定の容量を超えたときは、データの選択を解除して、操作手段５により再度選択できるよう制御するシステム制御手段２０１と、を有する（図１８参照）。この構成により、デジタルカメラ３００は、選択した画像データの容量が所定の容量を超えたときには、自動的に画像データを再選択できる動作モードに入るので、ユーザーによって便利である。
【０１４７】
また、デジタルカメラ３００は、データを記憶するシステム制御用メモリ２０２と、システム制御用メモリ２０２に記憶されたデータの内いずれかを選択する操作手段５と、操作手段５で選択されたデータを外部に送信するＰＨＳ通信手段６１と、液晶モニタ４と、ＰＨＳ通信手段６１が選択されたデータを送信する前に、操作手段５で選択されたデータの容量を算出し、この容量が所定の容量を超えたときは、その旨を液晶モニタ４に表示させるよう制御するシステム制御手段２０１と、を有する（図１７参照）。この構成により、デジタルカメラ３００は、選択した画像データの容量が所定の容量を超えたときには、自動的にその旨をユーザーに通知するので、ユーザーにとって便利である。また、所定の容量を超えた画像データをユーザーが意識せずに送信するということを防止できる。
【０１４８】
また、デジタルカメラ３００は、データを記憶するシステム制御用メモリ２０２と、システム制御用メモリ２０２に表示されたデータの内いずれかを選択し、または一旦選択したデータの選択を解除する操作手段５と、操作手段５で選択されたデータを外部に送信するＰＨＳ通信手段６１と、操作手段５がデータの選択を解除したとき、操作手段５で選択を解除されたデータを除いてシステム制御用メモリ２０２に記憶されたデータを表示する液晶モニタ４と、を有する（図１９参照）。この構成により、選択解除された画像データを液晶モニタ４に表示せず、まだ選択されていない画像データのみを表示する。つまり、ユーザーが次に選択可能性のある画像データ（まだ選択されていない画像データ）のみを液晶モニタ４に表示するため、表示される画像データの数が減ることにより、ユーザーは画像データを選択しやすくなる。そのため、ユーザーにとって便利である。
【０１４９】
また、デジタルカメラ３００は、被写体を撮像して画像データを生成する撮像手段７と、撮像手段７で生成された画像データを外部に送信するＰＨＳ通信手段６１と、ＰＨＳ通信手段６１で送信された画像データを、その画像データの送信履歴とともに記憶するシステム制御用メモリ２０２と、システム制御用メモリ２０２に記憶された画像データを表示するとともに、その表示上に送信履歴を重畳的に表示する液晶モニタ４と、を有する（図２８参照）。この構成により、送信済みの再生画像と送信履歴が重畳的に液晶モニタ４に表示されるため、ユーザーは、再生された画像がどこに、いつ送信されたかを容易に把握できる。そのため、ユーザーにとって便利である。
【０１５０】
また、デジタルカメラ３００は、被写体を撮像して画像データを生成する撮像手段７と、撮像手段７で生成された画像データを外部に送信するＰＨＳ通信手段６１と、ＰＨＳ通信手段６１で送信された画像データを、その画像データの送信履歴とともに記憶するシステム制御用メモリ２０２と、システム制御用メモリ２０２に記憶された送信履歴を一覧にして表示する液晶モニタ４と、液晶モニタ４に表示された送信履歴の内いずれかを選択する操作手段５と、操作手段５が送信履歴を選択したとき、その送信履歴に対応する画像データをシステム制御用メモリ２０２から読み出して液晶モニタ４に表示させるよう制御するシステム制御用メモリ２０２と、を有する（図２９参照（特にポインタＤ２５））。この構成により、送信履歴一覧から所望の送信履歴を選択することにより、この送信履歴に対応する画像データの再生画像が液晶モニタ４に表示されるので、ユーザーはどこに、いつ送信した画像がどのような画像データであるかを直ぐに確認することができる。そのため、ユーザーにとって便利である。
【０１５１】
また、デジタルカメラ３００は、被写体を撮像して画像データを生成する撮像手段７と、撮像手段７で生成された画像データを外部に送信するＰＨＳ通信手段６１と、ＰＨＳ通信手段６１で送信された画像データを、その画像データの送信履歴とともに記憶するシステム制御用メモリ２０２と、システム制御用メモリ２０２に記憶された送信履歴を、それに対応する画像データが送信された日付毎に一覧にして表示する液晶モニタ４と、を有する（図３０参照）。この構成により、送信履歴は日付毎に表示されるため、ユーザーは直ぐに特定の日付の送信履歴を把握することができる。そのため、ユーザーにとって便利である。
【０１５２】
また、デジタルカメラ３００は、被写体を撮像して画像データを生成する撮像手段７と、撮像手段７で生成された画像データを記憶するシステム制御用メモリ２０２と、システム制御用メモリ２０２に記憶された画像データを外部に送信するＰＨＳ通信手段６１と、液晶モニタ４と、ＰＨＳ通信手段６１が画像データの送信に失敗したとき、送信に失敗した画像データをシステム制御用メモリ２０２から読み出して液晶モニタ４に表示させるよう制御するシステム制御手段２０１と、を有する（図２５参照）。この構成により、ユーザーは送信に失敗した画像データを直ぐに確認できる。
【０１５３】
また、デジタルカメラ３００は、被写体を撮像して画像データを生成する撮像手段７と、撮像手段７で生成された画像データを記憶するシステム制御用メモリ２０２と、システム制御用メモリ２０２に記憶された画像データを外部に送信するＰＨＳ通信手段６１と、液晶モニタ４と、ファインダ３と、ＰＨＳ通信手段６１が画像データを送信している間は、ＰＨＳ通信手段６１による画像データの送信に関する情報を液晶モニタ４に表示させ、撮像手段７で生成された画像データをファインダ３に表示させるよう制御するシステム制御手段２０１と、を有する（図２２参照）。この構成により、ユーザーは、画像データを送信中であっても、画像データの送信の進捗状況だけでなく、新たな画像を撮像することもできるので、画像データの送信中にシャッターチャンスを逃すことがなく、便利である。
【０１５４】
なお、本発明の実施の形態１〜３においては、アダプタ２、アダプタ６０、デジタルカメラ２００、デジタルカメラ３００は、それぞれＰＨＳ通信方式で外部と通信するとしたが、本発明の目的を達成するためには、ＰＨＳ通信方式に限らない。例えば、携帯電話の通信方式で外部と通信をしても良い。また、有線で外部（例えばインターネット）と通信をしても良い。この場合、無線通信方式を利用する場合に比べて、モバイル性（いつでもどこでも外部と通信できるという程度）が悪くなるが、一般に有線の方が転送能力が高いため、送信時間を短く出来る。
【０１５５】
また、本発明の実施の形態１においては、アダプタ２は、自ら駆動電源を有さず、デジタルカメラ１から供給を受ける構成としたが、内部に電池収納部や外部電源端子を設けても良い。
【０１５６】
また、本発明の実施の形態１〜３においては、１の送信先を選択して、選択した１の送信先に画像データ等のデータを送信するようにしたが、複数の送信先を一度に選択して、順次選択した送信先に送信する構成としても良い。
【０１５７】
また、本発明の実施の形態１〜３においては、送信すべき画像データを選択するためにそのサムネイル画像Ｄ１１を液晶モニタ４に表示するとしたが、再生画像を液晶モニタ４に表示して画像データの選択を行えるようにしてもよい。このようにすることで、ユーザーは、画像データの選択時に、画像データの細かい点まで確認することができる。また、再生画像は、液晶モニタ４に１枚表示するようにしても良いし、複数枚表示するようにしても良い。
【０１５８】
また、本発明の実施の形態１〜３においては、サムネイル画像Ｄ７を送信先アドレスＤ８に関連付けされた付加情報としたが、サムネイル画像に限らない。例えば、絵記号（アイコン）を送信先アドレスＤ８に関連付けされた付加情報としても良いし、文字情報を付加情報としても良い。
【産業上の利用可能性】
【０１５９】
本発明は、デジタルカメラ、デジタルカメラの付属装置、携帯電話機、ＰＨＳ端末、カーナビゲーションシステムの端末、ＰＤＡ端末等に適用できる。すなわち、画像データ等の画像データを外部に送信する機器であれば適用できる。
【図面の簡単な説明】
【０１６０】
【図１】本発明の実施の形態１におけるアダプタが接続するネットワークの構成を示すブロック図
【図２】本発明の実施の形態１におけるデジタルカメラおよびアダプタの斜視図
【図３】本発明の実施の形態１におけるデジタルカメラおよびアダプタの背面図
【図４】本発明の実施の形態１におけるデジタルカメラおよびアダプタの構成を示すブロック図
【図５】本発明の実施の形態１におけるデジタルカメラおよびアダプタの動作を説明するためのフローチャート
【図６】本発明の実施の形態１におけるデジタルカメラおよびアダプタのアダプタ設定動作を説明するためのフローチャート
【図７】本発明の実施の形態１におけるデジタルカメラの液晶モニタ上の表示画面（モード選択時）を示す模式図
【図８】本発明の実施の形態１におけるデジタルカメラの液晶モニタ上の表示画面（アダプタ設定モード時）を示す模式図
【図９】本発明の実施の形態１におけるデジタルカメラの液晶モニタ上の表示画面（更新確認時）を示す模式図
【図１０】本発明の実施の形態１におけるデジタルカメラの液晶モニタ上の表示画面（更新終了時）を示す模式図
【図１１】本発明の実施の形態１におけるアダプタおよびメモリーカード内に記憶されたデータの内容を示す模式図
【図１２】本発明の実施の形態１におけるデジタルカメラの液晶モニタ上の表示画面（サムネイル画像更新時）を示す模式図
【図１３】本発明の実施の形態１におけるデジタルカメラおよびアダプタの送信準備動作を説明するためのフローチャート
【図１４】本発明の実施の形態１におけるデジタルカメラの液晶モニタ上の表示画面（通信状態確認時）を示す模式図
【図１５】本発明の実施の形態１におけるデジタルカメラの液晶モニタ上の表示画面（送信先選択時）を示す模式図
【図１６】本発明の実施の形態１におけるデジタルカメラの液晶モニタ上の表示画面（画像データ選択時）を示す模式図
【図１７】本発明の実施の形態１におけるデジタルカメラの液晶モニタ上の表示画面（最大送信容量を超えた時）を示す模式図
【図１８】本発明の実施の形態１におけるデジタルカメラの液晶モニタ上の表示画面（画像データの選択解除時）を示す模式図
【図１９】本発明の実施の形態１におけるデジタルカメラの液晶モニタ上の表示画面（画像データの再選択時）を示す模式図
【図２０】本発明の実施の形態１におけるデジタルカメラの液晶モニタ上の表示画面（送信準備完了時）を示す模式図
【図２１】本発明の実施の形態１におけるデジタルカメラおよびアダプタの送信動作を説明するためのフローチャート
【図２２】本発明の実施の形態１におけるデジタルカメラの液晶モニタ上の表示画面（送信中）を示す模式図
【図２３】本発明の実施の形態１におけるデジタルカメラの液晶モニタ上の表示画面（送信失敗時）を示す模式図
【図２４】本発明の実施の形態１におけるデジタルカメラの液晶モニタ上の表示画面（送信失敗後の処理選択時）を示す模式図
【図２５】本発明の実施の形態１におけるデジタルカメラの液晶モニタ上の表示画面（送信失敗後の処理選択時）を示す模式図
【図２６】本発明の実施の形態１におけるデジタルカメラの液晶モニタ上の表示画面（送信完了時）を示す模式図
【図２７】本発明の実施の形態１におけるデジタルカメラの液晶モニタ上の表示画面（送信完了後の処理選択時）を示す模式図
【図２８】本発明の実施の形態１におけるデジタルカメラの液晶モニタ上の表示画面（送信履歴表示時）を示す模式図
【図２９】本発明の実施の形態１におけるデジタルカメラの液晶モニタ上の表示画面（送信履歴一覧表示時）を示す模式図
【図３０】本発明の実施の形態１におけるデジタルカメラの液晶モニタ上の表示画面（日付毎の送信履歴一覧表示時）を示す模式図
【図３１】本発明の実施の形態２におけるアダプタが接続するネットワークの構成を示すブロック図
【図３２】本発明の実施の形態２におけるデジタルカメラおよびアダプタの構成を示すブロック図
【図３３】本発明の実施の形態２におけるアダプタの構成を示すブロック図
【図３４】本発明の実施の形態２におけるアダプタの送信動作を説明するためのフローチャート
【図３５】本発明の実施の形態２におけるアダプタに装着するメモリーカード内に記憶されたデータの内容を示す模式図
【図３６】本発明の実施の形態３におけるデジタルカメラが接続するネットワークの構成を示すブロック図
【図３７】本発明の実施の形態３におけるデジタルカメラの背面図
【図３８】本発明の実施の形態３におけるデジタルカメラの構成を示すブロック図
【図３９】本発明の実施の形態３におけるデジタルカメラの動作を説明するためのフローチャート
【図４０】本発明の実施の形態３におけるデジタルカメラの設定動作を説明するためのフローチャート
【図４１】本発明の実施の形態３におけるデジタルカメラの送信準備動作を説明するためのフローチャート
【図４２】本発明の実施の形態３におけるデジタルカメラの送信動作を説明するためのフローチャート
【図４３】本発明の実施の形態３におけるデジタルカメラの構成を示すブロック図
【符号の説明】
【０１６１】
１、２００、３００    デジタルカメラ
２、６０    アダプタ
３    ファインダ
４    液晶モニタ
５    操作手段
６、２０１    システム制御手段
７    撮像手段
１３、２０２    システム制御用メモリ
２０    アダプタ制御手段
２２    選択手段
２５、６２、２０３    カードスロット
２６    アダプタ制御用メモリ
２７    メモリーカード
２８    ＰＨＳカード
６１    ＰＨＳ通信手段
８０    ＰＨＳ基地局
【図１】
2005065082.tif 000003
【図２】
2005065082.tif 000004
【図３】
2005065082.tif 000005
【図４】
2005065082.tif 000006
【図５】
2005065082.tif 000007
【図６】
2005065082.tif 000008
【図７】
2005065082.tif 000009
【図８】
2005065082.tif 000010
【図９】
2005065082.tif 000011
【図１０】
2005065082.tif 000012
【図１１】
2005065082.tif 000013
【図１２】
2005065082.tif 000014
【図１３】
2005065082.tif 000015
【図１４】
2005065082.tif 000016
【図１５】
2005065082.tif 000017
【図１６】
2005065082.tif 000018
【図１７】
2005065082.tif 000019
【図１８】
2005065082.tif 000020
【図１９】
2005065082.tif 000021
【図２０】
2005065082.tif 000022
【図２１】
2005065082.tif 000023
【図２２】
2005065082.tif 000024
【図２３】
2005065082.tif 000025
【図２４】
2005065082.tif 000026
【図２５】
2005065082.tif 000027
【図２６】
2005065082.tif 000028
【図２７】
2005065082.tif 000029
【図２８】
2005065082.tif 000030
【図２９】
2005065082.tif 000031
【図３０】
2005065082.tif 000032
【図３１】
2005065082.tif 000033
【図３２】
2005065082.tif 000034
【図３３】
2005065082.tif 000035
【図３４】
2005065082.tif 000036
【図３５】
2005065082.tif 000037
【図３６】
2005065082.tif 000038
【図３７】
2005065082.tif 000039
【図３８】
2005065082.tif 000040
【図３９】
2005065082.tif 000041
【図４０】
2005065082.tif 000042
【図４１】
2005065082.tif 000043
【図４２】
2005065082.tif 000044
【図４３】
2005065082.tif 000045